(57)【特許請求の範囲】
【請求項１】
複数の照明装置からの照明光の照射対象となる被射面の照度および色度の少なくとも一方を含むパラメータを調整するために、上記複数の照明装置の輝度および色度の少なくとも一方を制御する制御装置であって、
上記被射面の窓側の第１の領域における上記パラメータが所定の数値範囲に含まれるように、上記第１の領域に照明光を照射する第１照明装置を制御する第１の制御を行い、
上記被射面の上記第１の領域よりも上記窓から離れ上記第１の領域付近の第２の領域における上記パラメータが上記所定の数値範囲に含まれるように、上記第２の領域に照明光を照射する第２照明装置を制御した後、
上記第１の領域における上記パラメータが上記所定の数値範囲から外れていた場合、該パラメータが上記所定の数値範囲に含まれるように、上記第１照明装置または上記第２照明装置を再び制御する第２の制御を行い、
上記被射面の上記第２の領域よりも上記窓から離れ上記第２の領域付近の第３の領域における上記パラメータが上記所定の数値範囲に含まれるように、上記第３の領域に照明光を照射する第３照明装置を制御した後、
上記第２の領域における上記パラメータが上記所定の数値範囲から外れていた場合、該パラメータが上記所定の数値範囲に含まれるように、上記第２照明装置または上記第３照明装置を再び制御する第３の制御を行い、
少なくとも上記第１の制御、上記第２の制御および上記第３の制御を順に繰り返し行う、
ことを特徴とする制御装置。
【請求項２】
上記複数の照明装置は、一列に並んで配置されており、
上記複数の照明装置の列の一方の端から、他の端に向かう順序で、各照明装置を制御する
ことを特徴とする請求項１に記載の制御装置。
【請求項３】
上記複数の照明装置は、一列に並んで配置されており、
上記複数の照明装置の列の両端から、列の中央に向かう順序で、各照明装置を制御する
ことを特徴とする請求項１に記載の制御装置。
【請求項４】
１つ以上の上記照明装置を含むグループごとに、該グループに含まれる照明装置を制御する
ことを特徴とする請求項１に記載の制御装置。
【請求項５】
上記パラメータは、照度および色度を含む
ことを特徴とする請求項１に記載の制御装置。
【請求項６】
複数の照明装置からの照明光の照射対象となる被射面の照度および色度の少なくとも一方を含むパラメータを調整するために、上記複数の照明装置の輝度および色度の少なくとも一方を制御する制御装置による制御方法であって、
上記被射面の窓側の第１の領域における上記パラメータが所定の数値範囲に含まれるように、上記第１の領域に照明光を照射する第１照明装置を制御する第１ステップと、
上記被射面の上記第１の領域よりも上記窓から離れ上記第１の領域付近の第２の領域における上記パラメータが上記所定の数値範囲に含まれるように、上記第２の領域に照明光を照射する第２照明装置を制御した後、
上記第１の領域における上記パラメータが上記所定の数値範囲から外れていた場合、該パラメータが上記所定の数値範囲に含まれるように、上記第１照明装置または上記第２照明装置を再び制御する第２ステップと、
上記被射面の上記第２の領域よりも上記窓から離れ上記第２の領域付近の第３の領域における上記パラメータが上記所定の数値範囲に含まれるように、上記第３の領域に照明光を照射する第３照明装置を制御した後、
上記第２の領域における上記パラメータが上記所定の数値範囲から外れていた場合、該パラメータが上記所定の数値範囲に含まれるように、上記第２照明装置または上記第３照明装置を再び制御する第３ステップと、
を含み、
少なくとも上記第１ステップ、上記第２ステップおよび上記第３ステップを順に繰り返し行う、
ことを特徴とする制御方法。
【請求項７】
請求項６に記載の各ステップをコンピュータに実行させるための制御プログラム。
【発明の詳細な説明】
【技術分野】
【０００１】
本発明は、照明装置の制御装置およびその制御方法、ならびに制御プログラムに関し、例えば、複数の照明装置の輝度および色度の少なくとも一方を制御する制御装置に関する。
【背景技術】
【０００２】
オフィス等の部屋には、被射面（机の表面、部屋の床等）を照明するために、複数の照明装置が設置されている。部屋に窓が設けられている場合、窓から部屋に入射する昼光の強度に依存して、被射面の照度および色度の少なくとも一方が変動する場合がある。
【０００３】
そこで、被射面の照度・色度の変動を抑制するために、複数の照明装置の輝度・色度を制御する制御装置が開示されている。制御装置の一例は、特許文献１に記載されている室内照明装置である。
【０００４】
特許文献１に記載の室内照明装置は、複数の照明ユニットと、被射面上に設置された複数の照度センサとを備え、各照明ユニットに対応付けられた照度センサの検出値が所定の照度に近づくように、各照明ユニットの輝度を制御する。ここで、照度センサの検出値は、被射面の照度に対応する。
【先行技術文献】
【特許文献】
【０００５】
【特許文献１】特開２０１０−８６８３５号公報（２０１０年４月１５日公開）
【発明の概要】
【発明が解決しようとする課題】
【０００６】
しかしながら、特許文献１に記載の上記室内照明装置は、被射面全体の照度を目標照度範囲に含まれるようにする（あるいは、所定の照度に近づける）ことは困難である。
【０００７】
図１９の（ａ）（ｂ）を用いて、その理由を説明する。ここで、単純化のために、上記室内照明装置は、２つの照明ユニット（以下では、照明ユニット１，２と呼ぶ）と、照明ユニット１の直下付近に配置された照度センサ１と、照明ユニット２の直下付近に位置する照度センサ２とを備えているとする。
【０００８】
図１９の（ａ）は、照度センサ１の検出値（以下では、机上面照度１と呼ぶ）の時間変化の一例を示すグラフであり、図１９の（ｂ）は、照度センサ２の検出値（以下では、机上面照度２と呼ぶ）の時間変化の一例を示すグラフである。
【０００９】
図１９の（ａ）（ｂ）に示すように、時刻ｔ０において、机上面照度２は目標照度範囲から外れており、机上面照度１は目標照度範囲に含まれていたとする。この場合、室内照明装置は、時刻ｔ０から、机上面照度２が目標照度範囲に含まれるようになるように、照明ユニット２の輝度を制御する。
【００１０】
しかしながら、照明ユニット２からの照明光は、照度センサ２だけでなく照度センサ１にも入射する。そのため、照明ユニット２の輝度が変化した場合、図１９の（ａ）に示すように、机上面照度１も変化してゆき、目標照度範囲から外れる。その結果、机上面照度２は目標照度範囲に含まれるようになる一方、机上面照度１は目標照度範囲に含まれなくなるので、机上面照度１と机上面照度２とが不均一になるという問題がある。
【００１１】
また、図１９の（ａ）（ｂ）に示すように、室内照明装置が、時刻ｔ１（＞ｔ０）から、机上面照度１が目標照度範囲に含まれるようになるように、照明ユニット１の輝度を制御した場合、（照明ユニット１からの照明光は、照度センサ１だけでなく照度センサ２にも入射するので）今度は、机上面照度２が、目標照度範囲から外れることになる。なお、上記の説明では、被射面の照度の問題について説明したが、被射面の色度にも、照度と同様の問題が生じる。
【００１２】
本発明は、上記の課題に鑑みてなされたものであり、その目的は、被射面の照度および色度の少なくとも一方を従来よりも均一にすることができる、照明装置の制御装置を提供することにある。
【課題を解決するための手段】
【００１３】
上記の課題を解決するために、本発明の一態様に係る制御装置は、複数の照明装置からの照明光の照射対象となる被射面の照度および色度の少なくとも一方を含むパラメータを調整するために、上記複数の照明装置の輝度および色度の少なくとも一方を制御する制御装置であって、上記被射面の第１の領域における上記パラメータが所定の数値範囲に含まれるように、上記第１の領域に照明光を照射する第１照明装置を制御し、上記被射面の第２の領域における上記パラメータが上記所定の数値範囲に含まれるように、上記第２の領域に照明光を照射する第２照明装置を制御した後、上記第１の領域における上記パラメータが上記所定の数値範囲から外れていた場合、該パラメータが上記所定の数値範囲に含まれるように、上記第１照明装置または上記第２照明装置を再び制御する。
【００１４】
また、本発明の他の態様に係る制御装置は、複数の照明装置からの照明光の照射対象となる被射面の照度および色度の少なくとも一方を含むパラメータを調整するために、上記複数の照明装置の輝度および色度の少なくとも一方を制御する制御装置であって、第１照明装置から照明光を照射される上記被射面の領域を第１の領域と呼び、第２照明装置から照明光を照射される上記被射面の領域を第２の領域と呼ぶとき、上記第１の領域における上記パラメータが所定の数値範囲に含まれるようになる、上記第１照明装置の制御方法を計算し、上記制御方法で上記第１照明装置を制御することを前提として、上記第２の領域における上記パラメータが上記所定の数値範囲に含まれるようになる、上記第２照明装置の制御方法を計算し、上記制御方法で上記第２照明装置を制御すると、上記第１の領域における上記パラメータが上記所定の数値範囲から外れる場合、該パラメータが上記所定の数値範囲に含まれるように、上記第１照明装置の制御方法を再計算し、再計算した上記第１照明装置の制御方法および計算した上記第２照明装置の制御方法を用いて、上記第１照明装置および上記第２照明装置を制御する。
【００１５】
また、本発明の一態様に係る制御方法は、複数の照明装置からの照明光の照射対象となる被射面の照度および色度の少なくとも一方を含むパラメータを調整するために、上記複数の照明装置の輝度および色度の少なくとも一方を制御する制御装置による制御方法であって、上記被射面の第１の領域における上記パラメータが所定の数値範囲に含まれるように、上記第１の領域に照明光を照射する第１照明装置を制御する第１ステップと、上記被射面の第２の領域における上記パラメータが上記所定の数値範囲に含まれるように、上記第２の領域に照明光を照射する第２照明装置を制御する第２ステップと、上記第１の領域における上記パラメータが上記所定の数値範囲から外れていた場合、該パラメータが上記所定の数値範囲に含まれるように、上記第１照明装置を再び制御する第３ステップと、を含む。
【発明の効果】
【００１６】
本発明の一態様によれば、被射面の照度および色度の少なくとも一方を従来よりも均一にすることができるという効果を奏する。
【図面の簡単な説明】
【００１７】
【図１】実施形態１に係る照明システムに含まれる制御装置の構成を示すブロック図である。
【図２】実施形態１に係る照明システムの構成を示すブロック図である。
【図３】実施形態１に係る制御装置が実行する照度制御処理の流れを示すフローチャートである。
【図４】（ａ）は、実施形態１に係る照度制御処理が実行されたときの机上面の一領域の照度の時間変化を示すグラフであり、（ｂ）は、上記照度制御処理が実行されたときの机上面の他の領域の照度の時間変化を示すグラフである。
【図５】実施形態２に係る照度制御処理の流れを示すフローチャートである。
【図６】実施形態３に係る照度制御処理の流れを示すフローチャートである。
【図７】実施形態４に係る照度制御処理の流れを示すフローチャートの一部である。
【図８】実施形態４に係る照度制御処理の流れを示すフローチャートの一部である。
【図９】実施形態５に係る照明システムの構成を示す概略図である。
【図１０】実施形態５に係る照度制御処理の流れを示すフローチャートである。
【図１１】実施形態６に係る照明システムの構成を示すブロック図である。
【図１２】実施形態６に係る照度制御処理の流れを示すフローチャートの一部である。
【図１３】実施形態６に係る照度制御処理の流れを示すフローチャートの一部である。
【図１４】実施形態６に係る照度制御処理の流れを示すフローチャートの一部である。
【図１５】実施形態７に係る照明システムの構成を示すブロック図である。
【図１６】実施形態７に係る制御装置の構成を示すブロック図である。
【図１７】実施形態７に係る照度制御処理の流れを示すフローチャートの一部である。
【図１８】実施形態７に係る照度制御処理の流れを示すフローチャートの一部である。
【図１９】（ａ）は、従来の照明システムによって管理される机上面の一領域の照度の時間変化の一例を示すグラフであり、（ｂ）は、該机上面の他の領域の時間変化の一例を示すグラフである。
【発明を実施するための形態】
【００１８】
〔実施形態１〕
以下、本発明の実施の形態について、図１〜図４の（ａ）（ｂ）を用いて詳細に説明する。
【００１９】
（照明システム１の概要）
図２を用いて、本実施形態に係る照明システム１の概要を説明する、図２は、照明システム１の構成を示すブロック図である。照明システム１は、例えば、複数の照明が設置されており、窓から入射する昼光が時間と共に変動するような部屋（例えば、オフィス）に適用される。照明システム１は、予め定められた順序で、ＬＥＤ照明１〜４（照明装置）の輝度および色度の少なくとも一方を制御することによって、被射面（例えば、オフィス内に配置された机の表面）の照度および色度のうち少なくとも一方を均一にすることができる。本実施形態では、照明システム１は、ＬＥＤ照明１〜４の輝度を制御することによって、部屋内に設置された机の表面（机上面）の照度を略均一にする。
【００２０】
図２に示すように、照明システム１は、４台のＬＥＤ照明１〜４（図２のＬＥＤ１〜４）、３台の照度センサ１〜３（図２のセンサ１〜３）、および制御装置１０を備えている。ＬＥＤ照明１〜４は、ＬＥＤ（light emitting diode:発光ダイオード）を光源として備えた発光装置である。
【００２１】
ＬＥＤ照明１〜４は、机上面（被射面）の上方（例えば、部屋の天井）に、等間隔で一列に並んで設置されており、机上面に向けて照明光を照射する。図２には、ＬＥＤ照明１の照射範囲ＲＡ１（第１の領域）、および、ＬＥＤ照明２の照射範囲ＲＡ２（第２の領域）を示している。
【００２２】
照度センサ１〜３は、机上面の上方に（例えば、部屋の天井）に、一定の間隔で一列に並んで設置されており、机上面における照度（机上面照度。詳細には、照度センサ１〜３の位置における照度）を検出する。
【００２３】
照度センサ１は、ＬＥＤ照明１の照射範囲ＲＡ１に含まれるので、照度センサ１の検出値は、ＬＥＤ照明１の輝度に主に依存する。また、照度センサ１は、ＬＥＤ照明１に隣接するＬＥＤ照明２の照射範囲ＲＡ２にも含まれるので、照度センサ１の検出値は、ＬＥＤ照明２の輝度にも依存する。同様に、照度センサ２の検出値は、ＬＥＤ照明２およびＬＥＤ照明３の輝度に依存し、照度センサ３の検出値は、ＬＥＤ照明３およびＬＥＤ照明４の輝度に依存する。
【００２４】
なお、照明システム１が備えたＬＥＤ照明および照度センサの台数は特に限定されない。また、ＬＥＤ照明１〜４、および照度センサ１〜３は、等間隔に設置されていなくてもよい。さらに、照明システム１は、ＬＥＤ照明１〜４の代わりに、複数の白熱電球、蛍光灯、またはランプを備えていてもよい。
【００２５】
図２に示すように、制御装置１０は、ＬＥＤ照明１〜４の輝度を制御する。また、制御装置１０は、照度センサ１〜３の検出値を取得する。各検出値は、机上面照度（パラメータ）に対応する。後述する照度制御処理Ａにおいて、制御装置１０は、照度センサ１〜３の検出値に基づいて、ＬＥＤ照明１〜４の輝度を制御することによって、机上面照度を目標照度範囲（所定の数値範囲）に含まれるように調整する。以下で、制御装置１０の詳細な構成について説明する。
【００２６】
（制御装置１０の構成）
図１を用いて、前述した制御装置１０の詳細な構成を説明する。図１は制御装置１０の構成を示すブロック図である。図１に示すように、制御装置１０は、検出値取得部１１、机上面照度算出部１２、目標照度情報取得部１３、目標照度範囲決定部１４、目標照明輝度算出部１５、制御信号生成部１６、および制御信号送信部１７を含んでいる。
【００２７】
検出値取得部１１は、照度センサ１〜３から、照度の検出値を取得する。検出値取得部１１は、取得した検出値のデータを机上面照度算出部１２に出力する。
【００２８】
机上面照度算出部１２は、検出値取得部１１から入力された検出値に基づいて、机上面における照度（机上面照度）を算出する。例えば、机上面照度算出部１２は、照度センサ１〜３の各検出値と机上面照度との相関関係を示すデータを参照し、照度センサ１〜３の各検出値と、上記相関関係とを用いて、机上面照度を算出してもよい。机上面照度算出部１２は、このように算出した机上面照度のデータを、目標照明輝度算出部１５に出力する。上記相関関係を示すデータは、制御装置１０が利用可能な記憶部（図示せず）に格納されている。
【００２９】
目標照度情報取得部１３は、ユーザが入力装置（例えば、リモコン、タブレット端末）を用いて入力した目標照度情報（ユーザが設定した目標照度に関する情報）を取得する。そして、取得した目標照度情報を、目標照度範囲決定部１４に出力する。
【００３０】
目標照度範囲決定部１４は、目標照度情報取得部１３から入力された目標照度情報を用いて、目標照度範囲を決定する。例えば、目標照度範囲は、目標照度±ｅ（ｅは任意の値）の範囲であってよい。目標照度範囲決定部１４は、決定した目標照度範囲のデータを、目標照明輝度算出部１５に出力する。また、目標照度範囲決定部１４は、決定した目標照度範囲のデータを、制御装置１０が利用可能な記憶部（図示せず）に記憶する。
【００３１】
目標照明輝度算出部１５は、机上面照度算出部１２から、机上面照度のデータを取得するとともに、目標照度範囲決定部１４から、目標照度範囲のデータを取得する。そして、目標照明輝度算出部１５は、現在の机上面照度が目標照度範囲から外れているか否かを判定する。現在の机上面照度が目標照度範囲から外れている場合、目標照明輝度算出部１５は、机上面照度が目標照度範囲に含まれるようなＬＥＤ照明１〜４の輝度（目標照明輝度）を算出する。例えば、目標照明輝度算出部１５は、ＬＥＤ照明１〜４の各輝度と机上面照度との相関関係を示すデータを参照し、目標照明輝度算出部１５は、目標照度範囲および上記相関関係を用いて、ＬＥＤ照明１〜４の各々の目標照明輝度を算出してもよい。上記相関関係を示すデータは、制御装置１０が利用可能な記憶部（図示せず）に格納されている。
【００３２】
なお、ＬＥＤ照明１〜４の各々の目標照明輝度は、同一であってもよいし、互いに異なっていてもよい。
【００３３】
目標照明輝度算出部１５は、算出した目標照明輝度のデータを、制御信号生成部１６に出力する。
【００３４】
制御信号生成部１６は、目標照明輝度算出部１５によって算出された目標照明輝度に基づいて、ＬＥＤ照明１〜４へ送信される制御信号を生成する。すなわち、制御信号生成部１６は、ＬＥＤ照明１〜４を目標照明輝度で発光させるための制御信号を生成する。ここで、制御信号生成部１６が生成する制御信号には、ＬＥＤ照明１〜４の各々の輝度を制御するための４つの制御信号が含まれていてよい。制御信号生成部１６は、生成した（４つの）制御信号を、制御信号送信部１７に出力する。
【００３５】
制御信号送信部１７は、制御信号生成部１６が生成した制御信号をＬＥＤ照明１〜４へ送信する。制御信号を受信したＬＥＤ照明１〜４は、目標照明輝度で発光する。
【００３６】
（照度制御処理Ａ）
図３を用いて、前述した制御装置１０によって実行される照度制御処理Ａの流れを説明する。図３は、照度制御処理Ａの流れを示すフローチャートである。なお、以下の説明において、目標照度範囲決定部１４は、予め、ＬＥＤ照明１〜４の目標照度範囲を決定しているとする。
【００３７】
照度制御処理Ａでは、部屋の奥行き方向（図２の窓側から壁側に向かう方向）に並んだＬＥＤ照明１〜４の輝度が、ＬＥＤ照明１〜４の並びの順序で、１台ずつ制御される。
【００３８】
図３に示すように、照度制御処理Ａのステップ１１０（Ｓ１１１〜Ｓ１１３）では、机上面照度算出部１２は、照度センサ１（図２参照）の検出値を取得し、取得した検出値を用いて、ＬＥＤ照明１下の机上面照度を算出する（Ｓ１１１）。以下では、ＬＥＤ照明１下の机上面照度を、机上面照度１と呼ぶ。
【００３９】
次に、目標照明輝度算出部１５は、机上面照度算出部１２によって算出された現在の机上面照度１が、目標照度範囲決定部１４によって決定された目標照度範囲に含まれるか否かを判定する（Ｓ１１２）。
【００４０】
上記机上面照度１が上記目標照度範囲に含まれる場合（Ｓ１１２でＹＥＳ）、（昼光の強度の変化による机上面照度１の変化は小さいので）照度制御処理Ａは終了する。一方、上記机上面照度１が上記目標照度範囲から外れる場合（Ｓ１１２でＮＯ）、目標照明輝度算出部１５は、机上面照度１が目標照度範囲に含まれるようになるように、ＬＥＤ照明１の目標照明輝度を算出する。そして、制御信号生成部１６は、ＬＥＤ照明１の輝度を目標照明輝度にするための制御信号を生成し、制御信号送信部１７は、制御信号生成部１６によって生成された制御信号をＬＥＤ照明１に送信することによって、ＬＥＤ照明１の輝度を制御する（Ｓ１１３）。その後、照度制御処理Ａはステップ１２０へ進む。
【００４１】
照度制御処理Ａのステップ１２０（Ｓ１２１〜Ｓ１２３）では、机上面照度算出部１２は、照度センサ２（図２参照）の検出値を取得し、取得した検出値を用いて、ＬＥＤ照明２下の机上面照度を算出する（Ｓ１２１）。以下では、ＬＥＤ照明２下の机上面照度を、机上面照度２と呼ぶ。
【００４２】
次に、目標照明輝度算出部１５は、机上面照度算出部１２によって算出された現在の机上面照度２が、目標照度範囲決定部１４によって決定された目標照度範囲に含まれるか否かを判定する（Ｓ１２２）。
【００４３】
上記机上面照度２が上記目標照度範囲に含まれる場合（Ｓ１２２でＹＥＳ）、照度制御処理Ａはステップ１３０に進む。一方、机上面照度２が目標照度範囲から外れる場合（Ｓ１２２でＮＯ）、目標照明輝度算出部１５は、机上面照度２が目標照度範囲に含まれるようになるように、ＬＥＤ照明２の目標照明輝度を算出する。そして、制御信号生成部１６は、ＬＥＤ照明２の輝度を目標照明輝度にするための制御信号を生成し、制御信号送信部１７は、制御信号生成部１６によって生成された制御信号をＬＥＤ照明２に送信することによって、ＬＥＤ照明２の輝度を制御する（Ｓ１２３）。その後、照度制御処理Ａはステップ１３０へ進む。
【００４４】
照度制御処理Ａのステップ１３０（Ｓ１３１〜Ｓ１３３）では、机上面照度算出部１２は、照度センサ１の検出値を取得し、取得した検出値を用いて、ＬＥＤ照明１下の机上面照度１を算出する（Ｓ１３１）。
【００４５】
次に、目標照明輝度算出部１５は、机上面照度算出部１２によって算出された現在の机上面照度１が、目標照度範囲決定部１４によって決定された目標照度範囲に含まれるか否かを判定する（Ｓ１３２）。
【００４６】
上記机上面照度１が上記目標照度範囲に含まれる場合（Ｓ１３２でＹＥＳ）、照度制御処理Ａはステップ１４０に進む。一方、机上面照度１が目標照度範囲から外れる場合（Ｓ１３２でＮＯ）、目標照明輝度算出部１５は、机上面照度１が目標照度範囲に含まれるようになるように、ＬＥＤ照明１の目標照明輝度を算出する。そして、制御信号生成部１６は、ＬＥＤ照明１の輝度を目標照明輝度にするための制御信号を生成し、制御信号送信部１７は、制御信号生成部１６によって生成された制御信号をＬＥＤ照明１に送信することによって、ＬＥＤ照明１の輝度を制御する（Ｓ１３３）。その後、照度制御処理Ａはステップ１４０へ進む。
【００４７】
このように、ステップ１３０では、ステップ１２０におけるＬＥＤ照明２（第２照明装置）の輝度の制御が照度センサ１の検出値（すなわち、ＬＥＤ照明１下における机上面照度１）に与えた影響を考慮して、ＬＥＤ照明１（第１照明装置）の輝度を制御することができる。これにより、ステップ１２０の後、机上面照度１が目標照度範囲に含まれなくなっていた場合であっても、ステップ１３０において、机上面照度１が目標照度範囲に含まれるようになる。
【００４８】
照度制御処理Ａのステップ１４０（Ｓ１４１〜Ｓ１４３）では、机上面照度算出部１２は、照度センサ２の検出値を取得し、取得した検出値を用いて、ＬＥＤ照明３下の机上面照度３を算出する（Ｓ１４１）。
【００４９】
次に、目標照明輝度算出部１５は、机上面照度算出部１２によって算出された現在の机上面照度３が、目標照度範囲決定部１４によって決定された目標照度範囲に含まれるか否かを判定する（Ｓ１４２）。
【００５０】
上記机上面照度３が上記目標照度範囲に含まれる場合（Ｓ１４２でＹＥＳ）、照度制御処理Ａはステップ１５０に進む。一方、机上面照度３が目標照度範囲から外れる場合（Ｓ１４２でＮＯ）、目標照明輝度算出部１５は、机上面照度３が目標照度範囲に含まれるようになるように、ＬＥＤ照明３の目標照明輝度を算出する。そして、制御信号生成部１６は、ＬＥＤ照明３の輝度を目標照明輝度にするための制御信号を生成し、制御信号送信部１７は、制御信号生成部１６によって生成された制御信号をＬＥＤ照明３に送信することによって、ＬＥＤ照明３の輝度を制御する（Ｓ１４３）。その後、照度制御処理Ａはステップ１５０へ進む。
【００５１】
照度制御処理Ａのステップ１５０（Ｓ１５１〜Ｓ１５３）では、机上面照度算出部１２は、照度センサ２の検出値を取得し、取得した検出値を用いて、ＬＥＤ照明２下の机上面照度２を算出する（Ｓ１５１）。
【００５２】
次に、目標照明輝度算出部１５は、机上面照度算出部１２によって算出された現在の机上面照度２が、目標照度範囲決定部１４によって決定された目標照度範囲に含まれるか否かを判定する（Ｓ１５２）。
【００５３】
上記机上面照度２が上記目標照度範囲に含まれる場合（Ｓ１５２でＹＥＳ）、照度制御処理Ａはステップ１６０に進む。一方、机上面照度２が目標照度範囲から外れる場合（Ｓ１５２でＮＯ）、目標照明輝度算出部１５は、机上面照度２が目標照度範囲に含まれるようになるように、ＬＥＤ照明３の目標照明輝度を算出する。そして、制御信号生成部１６は、ＬＥＤ照明３の輝度を目標照明輝度にするための制御信号を生成し、制御信号送信部１７は、制御信号生成部１６によって生成された制御信号をＬＥＤ照明３に送信することによって、ＬＥＤ照明３の輝度を制御する（Ｓ１５３）。その後、照度制御処理Ａはステップ１６０へ進む。なお、Ｓ１５３において、机上面照度２を目標照度範囲にするために、ＬＥＤ照明３の代わりに、ＬＥＤ照明２の輝度が制御されてもよい。
【００５４】
このように、ステップ１５０では、ステップ１４０におけるＬＥＤ照明３（第２照明装置）の輝度の制御が照度センサ２の検出値（すなわち、ＬＥＤ照明２（第１照明装置）下における机上面照度２）に与えた影響を考慮して、ＬＥＤ照明３の輝度を制御することができる。これにより、ステップ１４０の後、机上面照度２が目標照度範囲に含まれなくなっていた場合であっても、ステップ１５０において、机上面照度２が目標照度範囲に含まれるようになる。
【００５５】
照度制御処理Ａのステップ１６０（Ｓ１６１〜Ｓ１６３）では、机上面照度算出部１２は、照度センサ３（図２参照）の検出値を取得し、取得した検出値を用いて、ＬＥＤ照明４下の机上面照度４を算出する（Ｓ１６１）。
【００５６】
次に、目標照明輝度算出部１５は、机上面照度算出部１２によって算出された現在の机上面照度４が、目標照度範囲決定部１４によって決定された目標照度範囲に含まれるか否かを判定する（Ｓ１６２）。
【００５７】
上記机上面照度４が上記目標照度範囲に含まれる場合（Ｓ１６２でＹＥＳ）、照度制御処理Ａは終了する。一方、机上面照度４が目標照度範囲から外れる場合（Ｓ１６２でＮＯ）、目標照明輝度算出部１５は、机上面照度４が目標照度範囲に含まれるようになるように、ＬＥＤ照明４の目標照明輝度を算出する。そして、制御信号生成部１６は、ＬＥＤ照明４の輝度を目標照明輝度にするための制御信号を生成し、制御信号送信部１７は、制御信号生成部１６によって生成された制御信号をＬＥＤ照明４に送信することによって、ＬＥＤ照明４の輝度を制御する（Ｓ１６３）。その後、照度制御処理Ａは終了する。
【００５８】
（ＬＥＤ照明１，２の輝度の制御の一例）
図４の（ａ）（ｂ）を用いて、前述した照度制御処理Ａのステップ１１０〜１３０における机上面照度１および机上面照度２の変化の一例を説明する。図４の（ａ）は、照度制御処理Ａが実行されたときの机上面照度１の時間変化を示すグラフであり、図４の（ｂ）は、照度制御処理Ａが実行されたときの机上面照度２の時間変化を示すグラフである。初め、机上面照度１は目標照度範囲から外れており、机上面照度２は目標照度範囲に含まれている。
【００５９】
図４の（ａ）に示すように、机上面照度１は、時刻Ｔ０から、目標照度範囲に含まれるように調整され始める（図３に示す照度制御処理Ａのステップ１１０）。
【００６０】
ここで、ＬＥＤ照明１の照射範囲ＲＡ１は、照度センサ２が配置された位置を含んでいる（図２参照）。そのため、照度制御処理Ａのステップ１１０において机上面照度１が調整され始めたことに伴って、図４の（ｂ）に示すように、机上面照度２（照度センサ１の検出値）は減少してゆき、時刻Ｔ１（＞Ｔ０）において、目標照度範囲から外れる。
【００６１】
図４の（ｂ）に示すように、机上面照度２は、時刻Ｔ２（＞Ｔ１）から、目標照度範囲に含まれるように調整される（照度制御処理Ａのステップ１２０）。ここで、ＬＥＤ照明２の照射範囲ＲＡ２には、照度センサ１が含まれる（図２参照）。そのため、ステップ１２０においてＬＥＤ照明２の輝度が調整され始めたことに伴って、図４の（ａ）に示すように、照度センサ１の検出値に対応する机上面照度１は増加してゆき、時刻Ｔ３（＞Ｔ２）において、机上面照度１は、目標照度範囲から外れる。
【００６２】
図４の（ａ）に示すように、机上面照度１は、時刻Ｔ４（＞Ｔ３）から、目標照度範囲に含まれるように調整され始める（照度制御処理Ａのステップ１３０）。これにより、机上面照度１は、目標照度範囲に再び含まれるようになる。
【００６３】
以上のように、照度制御処理Ａでは、ステップ１２０におけるＬＥＤ照明２の輝度の制御が机上面照度１（すなわち、照度センサ１の検出値）に与えた影響が、ステップ１３０において補償される。これにより、机上面照度１が目標照度範囲に含まれるようになる。同様に、照度制御処理Ａでは、ステップ１４０におけるＬＥＤ照明３の輝度の制御が机上面照度２（すなわち、照度センサ２の検出値）に与えた影響が、ステップ１５０において補償される。これにより、机上面照度２が目標照度範囲に含まれるようになる。
【００６４】
〔実施形態２〕
本発明の他の実施形態について、図５に基づいて説明すれば、以下のとおりである。なお、説明の便宜上、前記実施形態にて説明した部材と同じ機能を有する部材については、同じ符号を付記し、その説明を省略する。
【００６５】
本実施形態では、前記実施形態１で説明した照度制御処理Ａとは、ＬＥＤ照明１〜４の輝度の制御の順序が異なる照度制御処理Ｂについて説明する。
【００６６】
前記実施形態１の照度制御処理Ａでは、制御装置１０は、窓側のＬＥＤ照明１から壁側のＬＥＤ照明４（図２参照）へ向かって、各ＬＥＤ照明１〜４の輝度を順番に制御した。本実施形態の照度制御処理Ｂでは、制御装置１０は、壁側のＬＥＤ照明４から窓側のＬＥＤ照明１へ向かって、各ＬＥＤ照明１〜４の輝度を順番に制御する。
【００６７】
（照度制御処理Ｂ）
図５を用いて、本実施形態に係る照度制御処理Ｂの流れを説明する。図５は、照度制御処理Ｂの流れを示すフローチャートである。
【００６８】
図５に示すように、照度制御処理Ｂのステップ２１０（Ｓ２１１〜Ｓ２１３）では、机上面照度算出部１２は、照度センサ４（図２参照）の検出値を取得し、取得した検出値を用いて、ＬＥＤ照明４下の机上面照度４を算出する（Ｓ２１１）。
【００６９】
次に、目標照明輝度算出部１５は、机上面照度算出部１２によって算出された現在の机上面照度４が、目標照度範囲決定部１４によって決定された目標照度範囲に含まれるか否かを判定する（Ｓ２１２）。
【００７０】
上記机上面照度４が上記目標照度範囲に含まれる場合（Ｓ２１２でＹＥＳ）、照度制御処理Ｂはステップ２２０に進む。一方、上記机上面照度４が上記目標照度範囲から外れている場合（Ｓ２１２でＮＯ）、目標照明輝度算出部１５は、机上面照度４が目標照度範囲に含まれるようになるように、ＬＥＤ照明４の目標照明輝度を算出する。そして、制御信号生成部１６は、ＬＥＤ照明４の輝度を目標照明輝度にするための制御信号を生成し、制御信号送信部１７は、制御信号生成部１６によって生成された制御信号をＬＥＤ照明４に送信することによって、ＬＥＤ照明４の輝度を制御する（Ｓ２１３）。その後、照度制御処理Ｂはステップ２２０へ進む。
【００７１】
照度制御処理Ｂのステップ２２０（Ｓ２２１〜Ｓ２２３）では、机上面照度算出部１２は、照度センサ２（図２参照）の検出値を取得し、取得した検出値を用いて、ＬＥＤ照明３下の机上面照度３を算出する（Ｓ２２１）。
【００７２】
次に、目標照明輝度算出部１５は、机上面照度算出部１２によって算出された現在の机上面照度３が、目標照度範囲決定部１４によって決定された目標照度範囲に含まれるか否かを判定する（Ｓ２２２）。
【００７３】
上記机上面照度３が上記目標照度範囲に含まれる場合（Ｓ２２２でＹＥＳ）、照度制御処理Ｂはステップ２３０に進む。一方、机上面照度３が目標照度範囲から外れる場合（Ｓ２２２でＮＯ）、目標照明輝度算出部１５は、机上面照度３が目標照度範囲に含まれるようになるように、ＬＥＤ照明３の目標照明輝度を算出する。そして、制御信号生成部１６は、ＬＥＤ照明３の輝度を目標照明輝度にするための制御信号を生成し、制御信号送信部１７は、制御信号生成部１６によって生成された制御信号をＬＥＤ照明３に送信することによって、ＬＥＤ照明３の輝度を制御する（Ｓ２２３）。その後、照度制御処理Ｂはステップ２３０へ進む。
【００７４】
照度制御処理Ｂのステップ２３０（Ｓ２３１〜Ｓ２３３）では、机上面照度算出部１２は、照度センサ３（図２参照）の検出値を取得し、取得した検出値を用いて、ＬＥＤ照明４下の机上面照度４を算出する（Ｓ２３１）。
【００７５】
次に、目標照明輝度算出部１５は、机上面照度算出部１２によって算出された現在の机上面照度４が、目標照度範囲決定部１４によって決定された目標照度範囲に含まれるか否かを判定する（Ｓ２３２）。
【００７６】
上記机上面照度４が上記目標照度範囲に含まれる場合（Ｓ２３２でＹＥＳ）、照度制御処理Ｂはステップ２４０に進む。一方、机上面照度４が目標照度範囲から外れる場合（Ｓ２３２でＮＯ）、目標照明輝度算出部１５は、机上面照度４が目標照度範囲に含まれるようになるように、ＬＥＤ照明４の目標照明輝度を算出する。そして、制御信号生成部１６は、ＬＥＤ照明４の輝度を目標照明輝度にするための制御信号を生成し、制御信号送信部１７は、制御信号生成部１６によって生成された制御信号をＬＥＤ照明４に送信することによって、ＬＥＤ照明４の輝度を制御する（Ｓ２３３）。その後、照度制御処理Ｂはステップ２４０へ進む。
【００７７】
このように、ステップ２３０では、ステップ２２０におけるＬＥＤ照明３（第２照明装置）の輝度の制御が照度センサ３の検出値（すなわち、ＬＥＤ照明４（第１照明装置）下における机上面照度４）に与えた影響を考慮して、ＬＥＤ照明４（第１照明装置）の輝度を制御することができる。これにより、ステップ２２０の後、机上面照度４が目標照度範囲に含まれなくなっていた場合であっても、ステップ２３０において、机上面照度４が目標照度範囲に含まれるようになる。
【００７８】
照度制御処理Ｂのステップ２４０（Ｓ２４１〜Ｓ２４３）では、机上面照度算出部１２は、照度センサ２の検出値を取得し、取得した検出値を用いて、ＬＥＤ照明２下の机上面照度２を算出する（Ｓ２４１）。
【００７９】
次に、目標照明輝度算出部１５は、机上面照度算出部１２によって算出された現在の机上面照度２が、目標照度範囲決定部１４によって決定された目標照度範囲に含まれるか否かを判定する（Ｓ２４２）。
【００８０】
上記机上面照度２が上記目標照度範囲に含まれる場合（Ｓ２４２でＹＥＳ）、照度制御処理Ｂはステップ２５０に進む。一方、机上面照度２が目標照度範囲から外れる場合（Ｓ２４２でＮＯ）、目標照明輝度算出部１５は、机上面照度２が目標照度範囲に含まれるようになるように、ＬＥＤ照明２の目標照明輝度を算出する。そして、制御信号生成部１６は、ＬＥＤ照明２の輝度を目標照明輝度にするための制御信号を生成し、制御信号送信部１７は、制御信号生成部１６によって生成された制御信号をＬＥＤ照明２に送信することによって、ＬＥＤ照明２の輝度を制御する（Ｓ２４３）。その後、照度制御処理Ｂはステップ２５０へ進む。
【００８１】
照度制御処理Ｂのステップ２５０（Ｓ２５１〜Ｓ２５３）では、机上面照度算出部１２は、照度センサ２の検出値を取得し、取得した検出値を用いて、ＬＥＤ照明３下の机上面照度３を算出する（Ｓ２５１）。
【００８２】
次に、目標照明輝度算出部１５は、机上面照度算出部１２によって算出された現在の机上面照度３が、目標照度範囲決定部１４によって決定された目標照度範囲に含まれるか否かを判定する（Ｓ２５２）。
【００８３】
上記机上面照度３が上記目標照度範囲に含まれる場合（Ｓ２５２でＹＥＳ）、照度制御処理Ｂはステップ２６０に進む。一方、机上面照度３が目標照度範囲から外れる場合（Ｓ２５２でＮＯ）、目標照明輝度算出部１５は、机上面照度３が目標照度範囲に含まれるようになるように、ＬＥＤ照明２の目標照明輝度を算出する。そして、制御信号生成部１６は、ＬＥＤ照明２の輝度を目標照明輝度にするための制御信号を生成し、制御信号送信部１７は、制御信号生成部１６によって生成された制御信号をＬＥＤ照明２に送信することによって、ＬＥＤ照明２の輝度を制御する（Ｓ２５３）。その後、照度制御処理Ｂはステップ２６０へ進む。なお、Ｓ２５３において、机上面照度３を目標照度範囲にするために、ＬＥＤ照明２の代わりに、ＬＥＤ照明３の輝度が制御されてもよい。
【００８４】
このように、ステップ２５０では、ステップ２４０におけるＬＥＤ照明２（第２照明装置）の輝度の制御が照度センサ２の検出値（すなわち、ＬＥＤ照明３（第１照明装置）下における机上面照度３）に与えた影響を考慮して、ＬＥＤ照明２の輝度を制御することができる。これにより、ステップ２４０の後、机上面照度３が目標照度範囲に含まれなくなっていた場合であっても、ステップ２５０において、机上面照度３が目標照度範囲に含まれるようになる。
【００８５】
照度制御処理Ｂのステップ２６０（Ｓ２６１〜Ｓ２６３）では、机上面照度算出部１２は、照度センサ１（図２参照）の検出値を取得し、取得した検出値を用いて、ＬＥＤ照明１下の机上面照度１を算出する（Ｓ２６１）。
【００８６】
次に、目標照明輝度算出部１５は、机上面照度算出部１２によって算出された現在の机上面照度１が、目標照度範囲決定部１４によって決定された目標照度範囲に含まれるか否かを判定する（Ｓ２６２）。
【００８７】
上記机上面照度１が上記目標照度範囲に含まれる場合（Ｓ２６２でＹＥＳ）、照度制御処理Ｂは終了する。一方、机上面照度１が目標照度範囲から外れる場合（Ｓ２６２でＮＯ）、目標照明輝度算出部１５は、机上面照度１が目標照度範囲に含まれるようになるように、ＬＥＤ照明１の目標照明輝度を算出する。そして、制御信号生成部１６は、ＬＥＤ照明１の輝度を目標照明輝度にするための制御信号を生成し、制御信号送信部１７は、制御信号生成部１６によって生成された制御信号をＬＥＤ照明１に送信することによって、ＬＥＤ照明１の輝度を制御する（Ｓ２６３）。以上で、照度制御処理Ｂは終了する。
【００８８】
以上のように、照度制御処理Ｂでは、ステップ２２０におけるＬＥＤ照明３の輝度の制御が机上面照度４（すなわち、照度センサ３の検出値）に与えた影響が、ステップ２３０において補償される。同様に、照度制御処理Ｂでは、ステップ２４０におけるＬＥＤ照明２の輝度の制御が机上面照度３（すなわち、照度センサ２の検出値）に与えた影響が、ステップ２５０において補償される。これにより、机上面照度３および４が目標照度範囲に含まれるようになる。
【００８９】
〔実施形態３〕
本発明の他の実施形態について、図６に基づいて説明すれば、以下のとおりである。なお、説明の便宜上、前記実施形態にて説明した部材と同じ機能を有する部材については、同じ符号を付記し、その説明を省略する。
【００９０】
本実施形態では、前記実施形態１の照度制御処理Ａおよび前記実施形態２の照度制御処理Ｂとは、ＬＥＤ照明１〜４の輝度の制御の順序が異なる照度制御処理Ｃについて説明する。
【００９１】
前記実施形態１の照度制御処理Ａ（図３参照）では、制御装置１０は、窓側のＬＥＤ照明１から壁側のＬＥＤ照明４へ向かって、各ＬＥＤ照明１〜４の輝度を順序で制御した。また、前記実施形態２の照度制御処理Ｂ（図５参照）では、制御装置１０は、壁側のＬＥＤ照明４から窓側のＬＥＤ照明１へ向かって、各ＬＥＤ照明１〜４の輝度を順序で制御した。
【００９２】
本実施形態の照度制御処理Ｃでは、制御装置１０は、部屋の周縁側のＬＥＤ照明（すなわち、図２のＬＥＤ照明１およびＬＥＤ照明４）から、部屋の内側のＬＥＤ照明（すなわち、図２のＬＥＤ照明２およびＬＥＤ照明３）へ向かって、各ＬＥＤ照明１〜４の輝度を順番に制御する。
【００９３】
（照度制御処理Ｃ）
図６を用いて、本実施形態に係る照度制御処理Ｃの流れを説明する。図６は、照度制御処理Ｃの流れを示すフローチャートである。
【００９４】
図６に示すように、照度制御処理Ｃのステップ３１０（Ｓ３１１〜Ｓ３１３）では、机上面照度算出部１２は、照度センサ１（図２参照）の検出値を取得し、取得した検出値を用いて、ＬＥＤ照明１下の机上面照度１を算出する（Ｓ３１１）。
【００９５】
次に、目標照明輝度算出部１５は、机上面照度算出部１２によって算出された現在の机上面照度１が、目標照度範囲決定部１４によって決定された目標照度範囲に含まれるか否かを判定する（Ｓ３１２）。
【００９６】
上記机上面照度１が上記目標照度範囲に含まれる場合（Ｓ３１２でＹＥＳ）、（昼光の強度の変化による机上面照度１の変化は小さいので）照度制御処理Ｃは終了する。一方、上記机上面照度１が上記目標照度範囲から外れる場合（Ｓ３１２でＮＯ）、目標照明輝度算出部１５は、机上面照度１が目標照度範囲に含まれるようになるように、ＬＥＤ照明１の目標照明輝度を算出する。そして、制御信号生成部１６は、ＬＥＤ照明１の輝度を目標照明輝度にするための制御信号を生成し、制御信号送信部１７は、制御信号生成部１６によって生成された制御信号をＬＥＤ照明１に送信することによって、ＬＥＤ照明１の輝度を制御する（Ｓ３１３）。その後、照度制御処理Ｃはステップ３２０へ進む。
【００９７】
照度制御処理Ｃのステップ３２０（Ｓ３２１〜Ｓ３２３）では、机上面照度算出部１２は、照度センサ３（図２参照）の検出値を取得し、取得した検出値を用いて、ＬＥＤ照明４下の机上面照度４を算出する（Ｓ３２１）。
【００９８】
次に、目標照明輝度算出部１５は、机上面照度算出部１２によって算出された現在の机上面照度４が、目標照度範囲決定部１４によって決定された目標照度範囲に含まれるか否かを判定する（Ｓ３２２）。
【００９９】
上記机上面照度４が上記目標照度範囲に含まれる場合（Ｓ３２２でＹＥＳ）、照度制御処理Ｃはステップ３３０に進む。一方、机上面照度４が目標照度範囲から外れる場合（Ｓ３２２でＮＯ）、目標照明輝度算出部１５は、机上面照度４が目標照度範囲に含まれるようになるように、ＬＥＤ照明４の目標照明輝度を算出する。そして、制御信号生成部１６は、ＬＥＤ照明４の輝度を目標照明輝度にするための制御信号を生成し、制御信号送信部１７は、制御信号生成部１６によって生成された制御信号をＬＥＤ照明４に送信することによって、ＬＥＤ照明４の輝度を制御する（Ｓ３２３）。その後、照度制御処理Ｃはステップ３３０へ進む。
【０１００】
照度制御処理Ｃのステップ３３０（Ｓ３３１〜Ｓ３３３）では、机上面照度算出部１２は、照度センサ２（図２参照）の検出値を取得し、取得した検出値を用いて、ＬＥＤ照明２下の机上面照度２を算出する（Ｓ３３１）。
【０１０１】
次に、目標照明輝度算出部１５は、机上面照度算出部１２によって算出された現在の机上面照度２が、目標照度範囲決定部１４によって決定された目標照度範囲に含まれるか否かを判定する（Ｓ３３２）。
【０１０２】
上記机上面照度２が上記目標照度範囲に含まれる場合（Ｓ３３２でＹＥＳ）、照度制御処理Ｃはステップ３４０に進む。一方、机上面照度２が目標照度範囲から外れる場合（Ｓ３３２でＮＯ）、目標照明輝度算出部１５は、机上面照度２が目標照度範囲に含まれるようになるように、ＬＥＤ照明２の目標照明輝度を算出する。そして、制御信号生成部１６は、ＬＥＤ照明２の輝度を目標照明輝度にするための制御信号を生成し、制御信号送信部１７は、制御信号生成部１６によって生成された制御信号をＬＥＤ照明２に送信することによって、ＬＥＤ照明２の輝度を制御する（Ｓ３３３）。その後、照度制御処理Ｃはステップ３４０へ進む。
【０１０３】
照度制御処理Ｃのステップ３４０（Ｓ３４１〜Ｓ３４３）では、机上面照度算出部１２は、照度センサ１の検出値を取得し、取得した検出値を用いて、ＬＥＤ照明１下の机上面照度１を算出する（Ｓ３４１）。
【０１０４】
次に、目標照明輝度算出部１５は、机上面照度算出部１２によって算出された現在の机上面照度１が、目標照度範囲決定部１４によって決定された目標照度範囲に含まれるか否かを判定する（Ｓ３４２）。
【０１０５】
上記机上面照度１が上記目標照度範囲に含まれる場合（Ｓ３４２でＹＥＳ）、照度制御処理Ｃはステップ３５０に進む。一方、机上面照度１が目標照度範囲から外れる場合（Ｓ３４２でＮＯ）、目標照明輝度算出部１５は、机上面照度１が目標照度範囲に含まれるようになるように、ＬＥＤ照明１の目標照明輝度を算出する。そして、制御信号生成部１６は、ＬＥＤ照明２の輝度を目標照明輝度にするための制御信号を生成し、制御信号送信部１７は、制御信号生成部１６によって生成された制御信号をＬＥＤ照明１に送信することによって、ＬＥＤ照明１の輝度を制御する（Ｓ３４３）。その後、照度制御処理Ｃはステップ３５０へ進む。
【０１０６】
このように、ステップ３４０では、ステップ３３０におけるＬＥＤ照明２（第２照明装置）の輝度の制御が机上面照度１（すなわち、照度センサ１の検出値）に与えた影響をなくすように、ＬＥＤ照明１（第１照明装置）の輝度が制御される。これにより、ステップ３３０の後、机上面照度１が目標照度範囲に含まれなくなっていた場合であっても、ステップ３４０において、机上面照度１が目標照度範囲に含まれるようになる。
【０１０７】
照度制御処理Ｃのステップ３５０（Ｓ３５１〜Ｓ３５３）では、机上面照度算出部１２は、照度センサ２の検出値を取得し、取得した検出値を用いて、ＬＥＤ照明３下の机上面照度３を算出する（Ｓ３５１）。
【０１０８】
次に、目標照明輝度算出部１５は、机上面照度算出部１２によって算出された現在の机上面照度３が、目標照度範囲決定部１４によって決定された目標照度範囲に含まれるか否かを判定する（Ｓ３５２）。
【０１０９】
上記机上面照度３が上記目標照度範囲に含まれる場合（Ｓ３５２でＹＥＳ）、照度制御処理Ｃはステップ３６０に進む。一方、机上面照度３が目標照度範囲から外れる場合（Ｓ３５２でＮＯ）、目標照明輝度算出部１５は、机上面照度３が目標照度範囲に含まれるようになるように、ＬＥＤ照明３の目標照明輝度を算出する。そして、制御信号生成部１６は、ＬＥＤ照明３の輝度を目標照明輝度にするための制御信号を生成し、制御信号送信部１７は、制御信号生成部１６によって生成された制御信号をＬＥＤ照明３に送信することによって、ＬＥＤ照明３の輝度を制御する（Ｓ３５３）。その後、照度制御処理Ｃはステップ３６０へ進む。
【０１１０】
照度制御処理Ｃのステップ３６０（Ｓ３６１〜Ｓ３６３）では、机上面照度算出部１２は、照度センサ３の検出値を取得し、取得した検出値を用いて、ＬＥＤ照明４下の机上面照度４を算出する（Ｓ３６１）。
【０１１１】
次に、目標照明輝度算出部１５は、机上面照度算出部１２によって算出された現在の机上面照度４が、目標照度範囲決定部１４によって決定された目標照度範囲に含まれるか否かを判定する（Ｓ３６２）。
【０１１２】
上記机上面照度４が上記目標照度範囲に含まれる場合（Ｓ３６２でＹＥＳ）、照度制御処理Ｃは終了する。一方、机上面照度４が目標照度範囲から外れる場合（Ｓ３６２でＮＯ）、目標照明輝度算出部１５は、机上面照度４が目標照度範囲に含まれるようになるように、ＬＥＤ照明３の目標照明輝度を算出する。そして、制御信号生成部１６は、ＬＥＤ照明３の輝度を目標照明輝度にするための制御信号を生成し、制御信号送信部１７は、制御信号生成部１６によって生成された制御信号をＬＥＤ照明３に送信することによって、ＬＥＤ照明３の輝度を制御する（Ｓ３６３）。以上で、照度制御処理Ｃは終了する。
【０１１３】
このように、ステップ３６０では、ステップ３５０におけるＬＥＤ照明３の輝度の制御が机上面照度４（すなわち、照度センサ４の検出値）に与えた影響を考慮して、ＬＥＤ照明３の輝度が制御される。これにより、ステップ３５０の後、机上面照度４が目標照度範囲に含まれなくなっていた場合であっても、ステップ３６０において、机上面照度４が目標照度範囲に含まれるようになる。
【０１１４】
〔実施形態４〕
本発明の他の実施形態について、図７〜図８に基づいて説明すれば、以下のとおりである。なお、説明の便宜上、前記実施形態にて説明した部材と同じ機能を有する部材については、同じ符号を付記し、その説明を省略する。
【０１１５】
本実施形態では、前記実施形態１〜３の照度制御処理Ａ〜Ｃとは異なる照度制御処理Ｄについて説明する。
【０１１６】
前記実施形態１〜３の照度制御処理Ａ〜Ｃでは、制御装置１０は、ＬＥＤ照明１〜４の輝度を順序で制御した。一方、本実施形態の照度制御処理Ｄでは、制御装置１０は、机上面照度１〜４が目標照度範囲に含まれるようなＬＥＤ照明１〜４の輝度をまず算出し、その後、机上面照度１〜４が目標照度範囲に含まれるようになるように、全てのＬＥＤ照明１〜４の輝度を調整する。
【０１１７】
（照度制御処理Ｄ）
図７および図８を用いて、本実施形態に係る照度制御処理Ｄの流れを説明する。図７および図８は、照度制御処理Ｄの流れを示すフローチャートである。なお、以下で説明するＬＥＤ照明の輝度の制御の順序は一例であり、複数のＬＥＤ照明の輝度は、他の順序で制御されてもよい。
【０１１８】
図７に示すように、照度制御処理Ｄのステップ４１０（Ｓ４１１〜Ｓ４１４）では、まず、机上面照度算出部１２は、照度センサ１（図２参照）の検出値を取得し、取得した検出値を用いて、ＬＥＤ照明１下の机上面照度１を算出する（Ｓ４１１）。次に、机上面照度算出部１２は、照度センサ２（図２参照）の検出値を取得し、取得した検出値を用いて、ＬＥＤ照明２下の机上面照度２を算出する（Ｓ４１２）。
【０１１９】
その後、机上面照度算出部１２は、照度センサ２（図２参照）の検出値を取得し、取得した検出値を用いて、ＬＥＤ照明３下の机上面照度３を算出する（Ｓ４１３）。次に、机上面照度算出部１２は、照度センサ３（図２参照）の検出値を取得し、取得した検出値を用いて、ＬＥＤ照明４下の机上面照度４を算出する（Ｓ４１４）。そして、照度制御処理Ｄはステップ４２０へ進む。
【０１２０】
照度制御処理Ｄのステップ４２０（Ｓ４２１〜Ｓ４２３）では、まず、目標照明輝度算出部１５は、机上面照度算出部１２によって算出された現在の机上面照度１が、目標照度範囲決定部１４によって決定された目標照度範囲に含まれるか否かを判定する（Ｓ４２１）。
【０１２１】
上記机上面照度１が上記目標照度範囲に含まれる場合（Ｓ４２１でＹＥＳ）、（昼光の強度の変化による机上面照度１の変化は小さいので）照度制御処理Ｄは終了する。一方、机上面照度１が目標照度範囲から外れる場合（Ｓ４２１でＮＯ）、目標照明輝度算出部１５は、机上面照度１が目標照度範囲に含まれるような、ＬＥＤ照明１の目標照明輝度を算出する（Ｓ４２２）。例えば、目標照明輝度算出部１５は、現在の机上面照度１と目標照度範囲の下限値との差分を算出する。そして、上記差分をゼロにする（すなわち、机上面照度１が目標照度範囲の下限値になる）ようなＬＥＤ照明１の輝度を、目標照明輝度として求めてもよい。
【０１２２】
その後、机上面照度算出部１２は、ＬＥＤ照明１が目標照明輝度を有する場合におけるＬＥＤ照明２、３、４下の机上面照度２、３、４を算出する（Ｓ４２３）。そして、照度制御処理Ｄはステップ４３０へ進む。
【０１２３】
照度制御処理Ｄのステップ４３０（Ｓ４３１〜Ｓ４３３）では、まず、目標照明輝度算出部１５は、机上面照度算出部１２によって算出された現在の机上面照度２が、目標照度範囲決定部１４によって決定された目標照度範囲に含まれるか否かを判定する（Ｓ４３１）。
【０１２４】
上記机上面照度２が上記目標照度範囲に含まれる場合（Ｓ４３１でＹＥＳ）、照度制御処理Ｄはステップ４４０へ進む。一方、机上面照度２が目標照度範囲から外れる場合（Ｓ４３１でＮＯ）、目標照明輝度算出部１５は、机上面照度２が目標照度範囲に含まれるような、ＬＥＤ照明２の目標照明輝度を算出する（Ｓ４３２）。
【０１２５】
その後、机上面照度算出部１２は、ＬＥＤ照明２が目標照明輝度を有する場合におけるＬＥＤ照明１、３、４下の机上面照度１、３、４を算出する（Ｓ４３３）。そして、照度制御処理Ｄはステップ４４０へ進む。
【０１２６】
照度制御処理Ｄのステップ４４０（Ｓ４４１〜Ｓ４４３）では、まず、目標照明輝度算出部１５は、机上面照度算出部１２によって算出された現在の机上面照度１が、目標照度範囲決定部１４によって決定された目標照度範囲に含まれるか否かを判定する（Ｓ４４１）。
【０１２７】
上記机上面照度１が上記目標照度範囲に含まれる場合（Ｓ４４１でＹＥＳ）、照度制御処理Ｄはステップ４５０へ進む。一方、机上面照度１が目標照度範囲から外れる場合（Ｓ４４１でＮＯ）、目標照明輝度算出部１５は、机上面照度１が目標照度範囲に含まれるような、ＬＥＤ照明１の目標照明輝度を算出する（Ｓ４４２）。
【０１２８】
その後、机上面照度算出部１２は、ＬＥＤ照明１が目標照明輝度を有する場合におけるＬＥＤ照明２、３、４下の机上面照度２、３、４を算出する（Ｓ４４３）。そして、照度制御処理Ｄはステップ４５０へ進む。
【０１２９】
照度制御処理Ｄのステップ４５０（Ｓ４５１〜Ｓ４５３）では、まず、目標照明輝度算出部１５は、机上面照度算出部１２によって算出された現在の机上面照度３が、目標照度範囲決定部１４によって決定された目標照度範囲に含まれるか否かを判定する（Ｓ４５１）。
【０１３０】
上記机上面照度３が上記目標照度範囲に含まれる場合（Ｓ４５１でＹＥＳ）、照度制御処理Ｄはステップ４５０へ進む。一方、机上面照度３が目標照度範囲から外れる場合（Ｓ４５１でＮＯ）、目標照明輝度算出部１５は、机上面照度３が目標照度範囲に含まれるような、ＬＥＤ照明３の目標照明輝度を算出する（Ｓ４５２）。
【０１３１】
その後、机上面照度算出部１２は、ＬＥＤ照明３が目標照明輝度を有する場合におけるＬＥＤ照明１、２、４下の机上面照度１、２、４を算出する（Ｓ４５３）。そして、照度制御処理Ｄはステップ４６０へ進む。
【０１３２】
照度制御処理Ｄのステップ４６０（Ｓ４６１〜Ｓ４６３）では、まず、目標照明輝度算出部１５は、机上面照度算出部１２によって算出された現在の机上面照度２が、目標照度範囲決定部１４によって決定された目標照度範囲に含まれるか否かを判定する（Ｓ４６１）。
【０１３３】
上記机上面照度２が上記目標照度範囲に含まれる場合（Ｓ４６１でＹＥＳ）、照度制御処理Ｄはステップ４７０へ進む。一方、机上面照度２が目標照度範囲から外れる場合（Ｓ４６１でＮＯ）、目標照明輝度算出部１５は、机上面照度２が目標照度範囲に含まれるようなＬＥＤ照明３の目標照明輝度を算出する（Ｓ４６２）。
【０１３４】
その後、机上面照度算出部１２は、ＬＥＤ照明３が目標照明輝度を有する場合におけるＬＥＤ照明１、２、４下の机上面照度１、２、４を算出する（Ｓ４６３）。そして、照度制御処理Ｄはステップ４７０へ進む。
【０１３５】
図８に示すように、照度制御処理Ｄのステップ４７０（Ｓ４７１〜Ｓ４７３）では、まず、目標照明輝度算出部１５は、机上面照度算出部１２によって算出された現在の机上面照度４が、目標照度範囲決定部１４によって決定された目標照度範囲に含まれるか否かを判定する（Ｓ４７１）。
【０１３６】
上記机上面照度４が上記目標照度範囲に含まれる場合（Ｓ４７１でＹＥＳ）、照度制御処理Ｄはステップ４８０へ進む。一方、机上面照度４が目標照度範囲から外れる場合（Ｓ４７１でＮＯ）、目標照明輝度算出部１５は、机上面照度４が目標照度範囲に含まれるような、ＬＥＤ照明４の目標照明輝度を算出する（Ｓ４７２）。
【０１３７】
その後、机上面照度算出部１２は、ＬＥＤ照明４が目標照明輝度を有する場合におけるＬＥＤ照明１、２、３下の机上面照度１、２、３を算出する（Ｓ４７３）。そして、照度制御処理Ｄはステップ４８０へ進む。なお、Ｓ４７３において算出された机上面照度２、３が目標照度範囲に含まれない場合、照度制御処理Ｄは、ステップ４３０に戻ってもよい。
【０１３８】
照度制御処理Ｄのステップ４８０では、制御信号生成部１６は、ＬＥＤ照明１〜４の輝度を目標照明輝度にする制御信号を生成し、制御信号送信部１７は、上記制御信号をＬＥＤ照明１〜４に送信することによって、ＬＥＤ照明１〜４の輝度を目標照明輝度に変化させる。以上で、照度制御処理Ｄは終了する。
【０１３９】
〔実施形態５〕
本発明の他の実施形態について、図９〜図１０に基づいて説明すれば、以下のとおりである。なお、説明の便宜上、前記実施形態にて説明した部材と同じ機能を有する部材については、同じ符号を付記し、その説明を省略する。
【０１４０】
前記実施形態１〜４では、１つのＬＥＤ照明ごとに、該ＬＥＤ照明の輝度が調整される構成を説明した。本実施形態では、ＬＥＤ照明が多数ある場合を想定し、複数のＬＥＤ照明を含むグループごとに、該グループに含まれる複数のＬＥＤ照明の輝度が調整される構成を説明する。
【０１４１】
（照明システム５の概要）
図９を用いて、本実施形態に係る照明システム５の概要を説明する、図９は、照明システム５の構成を示す概略図である。
【０１４２】
図９に示すように、照明システム５は、合計１６台のＬＥＤ照明１ａ〜１ｄ、２ａ〜２ｄ、３ａ〜３ｄ、４ａ〜４ｄ（照明装置）（図９のＬＥＤ１ａ〜１ｄ、２ａ〜２ｄ、３ａ〜３ｄ、４ａ〜４ｄ）、合計６台の照度センサ１ａ、１ｂ、２ａ、２ｂ、３ａ、３ｂ（図２のセンサ１ａ、１ｂ、２ａ、２ｂ、３ａ、３ｂ）、および制御装置１０を含んでいる。ＬＥＤ照明１ａ〜１ｄ、２ａ〜２ｄ、３ａ〜３ｄ、４ａ〜４ｄは、オフィス等の部屋の天井に設置されており、照度センサ１ａ、１ｂ、２ａ、２ｂ、３ａ、３ｂも同様にオフィス等の部屋の天井に設置されている。制御装置１０と各センサ、制御装置１０と各ＬＥＤ照明は、実際には配線で接続されているが、図９では省略している。なお、照明システム５に含まれるＬＥＤ照明の台数および照度センサの台数はどちらも任意である。
【０１４３】
図９に示すように、照明システム５では、間口方向に一列に並ぶ４つのＬＥＤ照明が、１つのグループに分類されている。具体的には、ＬＥＤ照明１ａ〜１ｄはグループ１に、ＬＥＤ照明２ａ〜２ｄはグループ２に、ＬＥＤ照明３ａ〜３ｄはグループ３に、ＬＥＤ照明４ａ〜４ｄはグループ４に、それぞれ分類されている。また、グループ１〜４は、この順で、窓側から壁側に向かって並んでいる。また、照度センサ１ａ、１ｂは、それぞれ、ＬＥ照明１ａ、１ｂの中間、ＬＥＤ照明１ｃ、１ｄの中間に設置されている。ただし、照度センサは、必ずしもＬＥＤ照明の直線上に設置されている必要はない。
【０１４４】
本実施形態の制御装置１０は、グループ１〜４の各々に対して、制御信号を送信することによって、各グループに含まれるＬＥＤ照明の輝度を調整する。制御装置１０は、１つのグループに含まれる複数のＬＥＤ照明を、１つの制御信号で制御してもよいし、各ＬＥＤ照明に対する制御信号で制御してもよい。
【０１４５】
（照度制御処理Ｅ）
図１０を用いて、本実施形態に係る照度制御処理Ｅの流れを説明する。図１０は、照度制御処理Ｅの流れを示すフローチャートである。なお、以下で説明するＬＥＤ照明の輝度の制御の順序は一例であり、複数のＬＥＤ照明の輝度は、他の順序で制御されてもよい。
【０１４６】
図１０に示すように、照度制御処理Ｅのステップ５１０（Ｓ５１１〜Ｓ５１３）では、まず、机上面照度算出部１２は、照度センサ１ａ、１ｂ（図９参照）の検出値を取得し、取得した検出値を用いて、グループ１に含まれるＬＥＤ照明１ａ〜１ｄ下の机上面照度（以下では、机上面照度１Ｇと呼ぶ）を算出する（Ｓ５１１）。
【０１４７】
次に、目標照明輝度算出部１５は、机上面照度算出部１２によって算出された現在の机上面照度１Ｇが、目標照度範囲決定部１４によって決定された目標照度範囲に含まれるか否かを判定する（Ｓ５１２）。
【０１４８】
上記机上面照度１Ｇが上記目標照度範囲に含まれない場合（Ｓ５１２でＹＥＳ）、照度制御処理Ｅは終了する。一方、机上面照度１Ｇが目標照度範囲から外れる場合（Ｓ５１２でＮＯ）、目標照明輝度算出部１５は、机上面照度１Ｇが目標照度範囲に含まれるように、グループ１のＬＥＤ照明１ａ〜１ｄの輝度を制御する（Ｓ５１３）。そして、照度制御処理Ｅはステップ５２０に進む。
【０１４９】
照度制御処理Ｅのステップ５２０（Ｓ５２１〜Ｓ５２３）では、机上面照度算出部１２は、照度センサ２ａ、２ｂ（図９参照）の検出値を取得し、取得した検出値を用いて、グループ２のＬＥＤ照明２ａ〜２ｄ下の机上面照度（以下では、机上面照度２Ｇと呼ぶ）を算出する（Ｓ５２１）。
【０１５０】
次に、目標照明輝度算出部１５は、机上面照度算出部１２によって算出された現在の机上面照度２Ｇが、目標照度範囲決定部１４によって決定された目標照度範囲に含まれるか否かを判定する（Ｓ５２２）。
【０１５１】
上記机上面照度２Ｇが上記目標照度範囲に含まれる場合（Ｓ５２２でＹＥＳ）、照度制御処理Ｅはステップ５３０に進む。一方、机上面照度２Ｇが目標照度範囲から外れる場合（Ｓ５２２でＮＯ）、目標照明輝度算出部１５は、机上面照度２Ｇが目標照度範囲に含まれるようになるように、グループ２のＬＥＤ照明２ａ〜２ｄの目標照明輝度を算出する。そして、制御信号生成部１６は、ＬＥＤ照明２ａ〜２ｄの輝度を目標照明輝度にするための制御信号を生成し、制御信号送信部１７は、制御信号生成部１６によって生成された制御信号をＬＥＤ照明２ａ〜２ｄに送信することによって、ＬＥＤ照明２ａ〜２ｄの輝度を制御する（Ｓ５２３）。その後、照度制御処理Ｅはステップ５３０へ進む。
【０１５２】
照度制御処理Ｅのステップ５３０（Ｓ５３１〜Ｓ５３３）では、まず、机上面照度算出部１２は、照度センサ１ａ、１ｂの検出値を取得し、取得した検出値を用いて、グループ１に含まれるＬＥＤ照明１ａ〜１ｄ下の机上面照度１Ｇを算出する（Ｓ５３１）。
【０１５３】
次に、目標照明輝度算出部１５は、机上面照度算出部１２によって算出された現在の机上面照度１Ｇが、目標照度範囲決定部１４によって決定された目標照度範囲に含まれるか否かを判定する（Ｓ５３２）。
【０１５４】
上記机上面照度１Ｇが上記目標照度範囲に含まれない場合（Ｓ５３２でＹＥＳ）、照度制御処理Ｅはステップ５４０に進む。一方、机上面照度１Ｇが目標照度範囲から外れる場合（Ｓ５３２でＮＯ）、目標照明輝度算出部１５は、机上面照度１Ｇが目標照度範囲に含まれるように、グループ１のＬＥＤ照明１ａ〜１ｄの輝度を制御する（Ｓ５３３）。そして、照度制御処理Ｅはステップ５４０に進む。
【０１５５】
照度制御処理Ｅのステップ５４０（Ｓ５４１〜Ｓ５４３）では、まず、机上面照度算出部１２は、照度センサ２ａ、２ｂ（図９参照）の検出値を取得し、取得した検出値を用いて、グループ３に含まれるＬＥＤ照明３ａ〜３ｄ下の机上面照度（以下では、机上面照度３Ｇと呼ぶ）を算出する（Ｓ５４１）。
【０１５６】
次に、目標照明輝度算出部１５は、机上面照度算出部１２によって算出された現在の机上面照度３Ｇが、目標照度範囲決定部１４によって決定された目標照度範囲に含まれるか否かを判定する（Ｓ５４２）。
【０１５７】
上記机上面照度３Ｇが上記目標照度範囲に含まれない場合（Ｓ５４２でＹＥＳ）、照度制御処理Ｅはステップ５５０に進む。一方、机上面照度３Ｇが目標照度範囲から外れる場合（Ｓ５４２でＮＯ）、目標照明輝度算出部１５は、机上面照度３Ｇが目標照度範囲に含まれるように、グループ３のＬＥＤ照明３ａ〜３ｄの輝度を制御する（Ｓ５４３）。そして、照度制御処理Ｅはステップ５５０に進む。
【０１５８】
照度制御処理Ｅのステップ５５０（Ｓ５５１〜Ｓ５５３）では、まず、机上面照度算出部１２は、照度センサ２ａ、２ｂの検出値を取得し、取得した検出値を用いて、グループ２に含まれるＬＥＤ照明２ａ〜２ｄ下の机上面照度２Ｇを算出する（Ｓ５５１）。
【０１５９】
次に、目標照明輝度算出部１５は、机上面照度算出部１２によって算出された現在の机上面照度２Ｇが、目標照度範囲決定部１４によって決定された目標照度範囲に含まれるか否かを判定する（Ｓ５５２）。
【０１６０】
上記机上面照度２Ｇが上記目標照度範囲に含まれない場合（Ｓ５５２でＹＥＳ）、照度制御処理Ｅはステップ５５０に進む。一方、机上面照度２Ｇが目標照度範囲から外れる場合（Ｓ５５２でＮＯ）、目標照明輝度算出部１５は、机上面照度２Ｇが目標照度範囲に含まれるように、グループ３のＬＥＤ照明３ａ〜３ｄの輝度を制御する（Ｓ５５３）。そして、照度制御処理Ｅはステップ５５０に進む。
【０１６１】
照度制御処理Ｅのステップ５６０（Ｓ５６１〜Ｓ５６３）では、まず、机上面照度算出部１２は、照度センサ３ａ、３ｂ（図９参照）の検出値を取得し、取得した検出値を用いて、グループ４に含まれるＬＥＤ照明４ａ〜４ｄ下の机上面照度（以下では、机上面照度４Ｇと呼ぶ）を算出する（Ｓ５６１）。
【０１６２】
次に、目標照明輝度算出部１５は、机上面照度算出部１２によって算出された現在の机上面照度４Ｇが、目標照度範囲決定部１４によって決定された目標照度範囲に含まれるか否かを判定する（Ｓ５６２）。
【０１６３】
上記机上面照度４Ｇが上記目標照度範囲に含まれない場合（Ｓ５６２でＹＥＳ）、照度制御処理Ｅはステップ５７０に進む。一方、机上面照度４Ｇが目標照度範囲から外れる場合（Ｓ５６２でＮＯ）、目標照明輝度算出部１５は、机上面照度４Ｇが目標照度範囲に含まれるように、グループ４のＬＥＤ照明４ａ〜４ｄの輝度を制御する（Ｓ５６３）。以上で照度制御処理Ｅは終了する。
【０１６４】
〔実施形態６〕
本発明の他の実施形態について、図１１〜図１４に基づいて説明すれば、以下のとおりである。なお、説明の便宜上、前記実施形態にて説明した部材と同じ機能を有する部材については、同じ符号を付記し、その説明を省略する。
【０１６５】
前記実施形態５では、複数のＬＥＤ照明を含むグループが、部屋の奥行き方向に並んだ照明システム５（図９参照）を説明した。本実施形態では、壁の光反射を考慮し、複数のＬＥＤ照明を含むグループが、奥行き方向だけでなく、間口方向にも並んだ照明システム６を説明する。
【０１６６】
（照明システム６の概要）
図１１を用いて、本実施形態に係る照明システム６の概要を説明する、図１１は、照明システム６の構成を示すブロック図である。
【０１６７】
図１１に示すように、照明システム６は、合計１６台のＬＥＤ照明１ａ〜１ｄ、２ａ〜２ｄ、３ａ〜３ｄ、４ａ〜４ｄ（図１１のＬＥＤ１ａ〜１ｄ、２ａ〜２ｄ、３ａ〜３ｄ、４ａ〜４ｄ）、合計９台の照度センサ１ａ〜１ｃ、２ａ〜２ｃ、３ａ〜３ｃ（図１１のセンサ１ａ〜１ｃ、２ａ〜２ｃ、３ａ〜３ｃ）、および制御装置１０を含んでいる。ＬＥＤ照明１ａ〜１ｄ、２ａ〜２ｄ、３ａ〜３ｄ、４ａ〜４ｄ、照度センサ１ａ〜１ｃ、２ａ〜２ｃ、３ａ〜３ｃは、オフィス等の部屋の天井に設置されている。制御装置１０と各センサ、制御装置１０と各ＬＥＤ照明は、実際には配線で接続されているが、図１１では省略している。なお、照明システム６に含まれるＬＥＤ照明の台数および照度センサの台数は、どちらも任意の数であってよいが、壁側には照度センサが設置される。
【０１６８】
図１１に示すように、照明システム６では、ＬＥＤ照明１ｂ、１ｃはグループ１に、ＬＥＤ照明１ａ、１ｄはグループ２に、ＬＥＤ照明２ｂ、２ｃはグループ３に、ＬＥＤ照明２ａ、２ｄはグループ４に、ＬＥＤ照明３ｂ、３ｃはグループ５に、ＬＥＤ照明４ａ、４ｄはグループ６に、ＬＥＤ照明４ｂ、４ｃはグループ７に、ＬＥＤ照明４ａ、４ｄはグループ８に、それぞれ分類されている。
【０１６９】
照度センサ１ｂは、ＬＥＤ照明１ｃ、１ｂの中間に設置されており、照度センサ１ｂを中心とする両側には、照度センサ１ａ、１ｃが設置されている。照度センサ２ｂは、ＬＥＤ照明２ｃ、２ｂの中間に設置されており、照度センサ２ｂを中心として、両側に照度センサ２ａ、２ｃが設置されている。照度センサ３ｂは、ＬＥＤ照明４ｃ、４ｂの中間に設置されており、照度センサ３ｂを中心とする両側には、照度センサ３ａ、３ｃが設置されている。ただし、照度センサ１ａ〜１ｃ、２ａ〜２ｃ、３ａ〜３ｃは、必ずしもＬＥＤ照明１ｂおよび１ｃ、２ｂおよび２ｃ、４ｂおよび４ｃの直線上に設置されている必要はない。
【０１７０】
本実施形態の制御装置１０は、グループ１〜８の各々に対して、制御信号を送信することによって、各グループに含まれるＬＥＤ照明の輝度を調整する。制御装置１０は、１つのグループに含まれる複数のＬＥＤ照明を、１つの制御信号で制御してもよいし、ＬＥＤ照明ごとに１つの制御信号で制御してもよい。
【０１７１】
（照度制御処理Ｆ）
図１２〜１４を用いて、本実施形態に係る照度制御処理Ｆの流れを説明する。図１２〜１４は、照度制御処理Ｆの流れを示すフローチャートである。なお、以下で説明するＬＥＤ照明の輝度の制御の順序は一例であり、複数のＬＥＤ照明の輝度は、他の順序で制御されてもよい。
【０１７２】
図１２に示すように、照度制御処理Ｆのステップ６１０（Ｓ６１１〜Ｓ６１３）では、まず、机上面照度算出部１２は、照度センサ１ｂ（図１１参照）の検出値を取得し、取得した検出値を用いて、グループ１に含まれるＬＥＤ照明１ｂ、１ｃ（図１１参照）下の机上面照度（以下では、机上面照度１Ｇと呼ぶ）を算出する（Ｓ６１１）。
【０１７３】
次に、目標照明輝度算出部１５は、机上面照度算出部１２によって算出された現在の机上面照度１Ｇが、目標照度範囲決定部１４によって決定された目標照度範囲に含まれるか否かを判定する（Ｓ６１２）。
【０１７４】
上記机上面照度１Ｇが上記目標照度範囲に含まれない場合（Ｓ６１２でＹＥＳ）、照度制御処理Ｆは終了する。一方、机上面照度１Ｇが目標照度範囲から外れる場合（Ｓ６１２でＮＯ）、目標照明輝度算出部１５は、机上面照度１Ｇが目標照度範囲に含まれるように、グループ１のＬＥＤ照明１ｂ、１ｃの輝度を制御する（Ｓ６１３）。そして、照度制御処理Ｆはステップ６２０に進む。
【０１７５】
照度制御処理Ｆのステップ６２０（Ｓ６２１〜Ｓ６２３）では、まず、机上面照度算出部１２は、照度センサ１ａ、１ｃ（図１１参照）の検出値を取得し、取得した検出値を用いて、グループ２に含まれるＬＥＤ照明１ａ、１ｄ（図１１参照）下の机上面照度（以下では、机上面照度２Ｇと呼ぶ）を算出する（Ｓ６２１）。
【０１７６】
次に、目標照明輝度算出部１５は、机上面照度算出部１２によって算出された現在の机上面照度２Ｇが、目標照度範囲決定部１４によって決定された目標照度範囲に含まれるか否かを判定する（Ｓ６２２）。
【０１７７】
上記机上面照度２Ｇが上記目標照度範囲に含まれない場合（Ｓ６２２でＹＥＳ）、照度制御処理Ｆはステップ６３０に進む。一方、机上面照度２Ｇが目標照度範囲から外れる場合（Ｓ６２２でＮＯ）、目標照明輝度算出部１５は、机上面照度２Ｇが目標照度範囲に含まれるように、グループ２のＬＥＤ照明１ａ、１ｄの輝度を制御する（Ｓ６２３）。そして、照度制御処理Ｆはステップ６３０に進む。
【０１７８】
照度制御処理Ｆのステップ６３０（Ｓ６３１〜Ｓ６３３）では、まず、机上面照度算出部１２は、照度センサ１ｂの検出値を取得し、取得した検出値を用いて、グループ１に含まれるＬＥＤ照明１ｂ、１ｃ下の机上面照度１Ｇを算出する（Ｓ６３１）。
【０１７９】
次に、目標照明輝度算出部１５は、机上面照度算出部１２によって算出された現在の机上面照度１Ｇが、目標照度範囲決定部１４によって決定された目標照度範囲に含まれるか否かを判定する（Ｓ６３２）。
【０１８０】
上記机上面照度１Ｇが上記目標照度範囲に含まれない場合（Ｓ６３２でＹＥＳ）、照度制御処理Ｆはステップ６４０に進む。一方、机上面照度１Ｇが目標照度範囲から外れる場合（Ｓ６３２でＮＯ）、目標照明輝度算出部１５は、机上面照度１Ｇが目標照度範囲に含まれるように、グループ１のＬＥＤ照明１ｂ、１ｃの輝度を制御する（Ｓ６３３）。そして、照度制御処理Ｆはステップ６４０に進む。
【０１８１】
照度制御処理Ｆのステップ６４０（Ｓ６４１〜Ｓ６４３）では、まず、机上面照度算出部１２は、照度センサ２ｂ（図１１参照）の検出値を取得し、取得した検出値を用いて、グループ３に含まれるＬＥＤ照明２ｂ、２ｃ（図１１参照）下の机上面照度（以下では、机上面照度３Ｇと呼ぶ）を算出する（Ｓ６４１）。
【０１８２】
次に、目標照明輝度算出部１５は、机上面照度算出部１２によって算出された現在の机上面照度３Ｇが、目標照度範囲決定部１４によって決定された目標照度範囲に含まれるか否かを判定する（Ｓ６４２）。
【０１８３】
上記机上面照度３Ｇが上記目標照度範囲に含まれない場合（Ｓ６４２でＹＥＳ）、照度制御処理Ｆはステップ６５０に進む。一方、机上面照度３Ｇが目標照度範囲から外れる場合（Ｓ６４２でＮＯ）、目標照明輝度算出部１５は、机上面照度３Ｇが目標照度範囲に含まれるように、グループ３のＬＥＤ照明２ｂ、２ｃの輝度を制御する（Ｓ６４３）。そして、照度制御処理Ｆはステップ６５０に進む。
【０１８４】
照度制御処理Ｆのステップ６５０（Ｓ６５１〜Ｓ６５３）では、まず、机上面照度算出部１２は、照度センサ２ａ、２ｃ（図１１参照）の検出値を取得し、取得した検出値を用いて、グループ４に含まれるＬＥＤ照明２ａ、２ｄ（図１１参照）下の机上面照度（以下では、机上面照度４Ｇと呼ぶ）を算出する（Ｓ６５１）。
【０１８５】
次に、目標照明輝度算出部１５は、机上面照度算出部１２によって算出された現在の机上面照度４Ｇが、目標照度範囲決定部１４によって決定された目標照度範囲に含まれるか否かを判定する（Ｓ６５２）。
【０１８６】
上記机上面照度４Ｇが上記目標照度範囲に含まれない場合（Ｓ６５２でＹＥＳ）、照度制御処理Ｆはステップ６６０に進む。一方、机上面照度４Ｇが目標照度範囲から外れる場合（Ｓ６５２でＮＯ）、目標照明輝度算出部１５は、机上面照度４Ｇが目標照度範囲に含まれるように、グループ４のＬＥＤ照明２ａ、２ｄの輝度を制御する（Ｓ６５３）。そして、照度制御処理Ｆはステップ６６０に進む。
【０１８７】
照度制御処理Ｆのステップ６６０（Ｓ６６１〜Ｓ６６３）では、まず、机上面照度算出部１２は、照度センサ２ｂの検出値を取得し、取得した検出値を用いて、グループ３に含まれるＬＥＤ照明２ｂ、２ｃ下の机上面照度３Ｇを算出する（Ｓ６６１）。
【０１８８】
次に、目標照明輝度算出部１５は、机上面照度算出部１２によって算出された現在の机上面照度３Ｇが、目標照度範囲決定部１４によって決定された目標照度範囲に含まれるか否かを判定する（Ｓ６６２）。
【０１８９】
上記机上面照度３Ｇが上記目標照度範囲に含まれない場合（Ｓ６６２でＹＥＳ）、照度制御処理Ｆはステップ６７０に進む。一方、机上面照度３Ｇが目標照度範囲から外れる場合（Ｓ６６２でＮＯ）、目標照明輝度算出部１５は、机上面照度３Ｇが目標照度範囲に含まれるように、グループ３のＬＥＤ照明２ｂ、２ｃの輝度を制御する（Ｓ６６３）。そして、照度制御処理Ｆはステップ６７０に進む。
【０１９０】
図１３に示すように、照度制御処理Ｆのステップ６７０（Ｓ６７１〜Ｓ６７３）では、まず、机上面照度算出部１２は、照度センサ１ｂの検出値を取得し、取得した検出値を用いて、グループ１に含まれるＬＥＤ照明１ｂ、１ｃ下の机上面照度１Ｇを算出する（Ｓ６７１）。
【０１９１】
次に、目標照明輝度算出部１５は、机上面照度算出部１２によって算出された現在の机上面照度１Ｇが、目標照度範囲決定部１４によって決定された目標照度範囲に含まれるか否かを判定する（Ｓ６７２）。
【０１９２】
上記机上面照度１Ｇが上記目標照度範囲に含まれない場合（Ｓ６７２でＹＥＳ）、照度制御処理Ｆはステップ６８０に進む。一方、机上面照度１Ｇが目標照度範囲から外れる場合（Ｓ６７２でＮＯ）、目標照明輝度算出部１５は、机上面照度１Ｇが目標照度範囲に含まれるように、グループ１のＬＥＤ照明１ｂ、１ｃの輝度を制御する（Ｓ６７３）。そして、照度制御処理Ｆはステップ６８０に進む。
【０１９３】
照度制御処理Ｆのステップ６８０（Ｓ６８１〜Ｓ６８３）では、まず、机上面照度算出部１２は、照度センサ１ａ、１ｃの検出値を取得し、取得した検出値を用いて、グループ２に含まれるＬＥＤ照明１ａ、１ｄ下の机上面照度２Ｇを算出する（Ｓ６８１）。
【０１９４】
次に、目標照明輝度算出部１５は、机上面照度算出部１２によって算出された現在の机上面照度２Ｇが、目標照度範囲決定部１４によって決定された目標照度範囲に含まれるか否かを判定する（Ｓ６８２）。
【０１９５】
上記机上面照度２Ｇが上記目標照度範囲に含まれない場合（Ｓ６８２でＹＥＳ）、照度制御処理Ｆはステップ６９０に進む。一方、机上面照度２Ｇが目標照度範囲から外れる場合（Ｓ６８２でＮＯ）、目標照明輝度算出部１５は、机上面照度２Ｇが目標照度範囲に含まれるように、グループ２のＬＥＤ照明１ａ、１ｄの輝度を制御する（Ｓ６８３）。そして、照度制御処理Ｆはステップ６９０に進む。
【０１９６】
照度制御処理Ｆのステップ６９０（Ｓ６９１〜Ｓ６９３）では、まず、机上面照度算出部１２は、照度センサ２ｂの検出値を取得し、取得した検出値を用いて、グループ５に含まれるＬＥＤ照明３ｂ、３ｃ（図１１参照）下の机上面照度（以下では、机上面照度５Ｇと呼ぶ）を算出する（Ｓ６９１）。
【０１９７】
次に、目標照明輝度算出部１５は、机上面照度算出部１２によって算出された現在の机上面照度５Ｇが、目標照度範囲決定部１４によって決定された目標照度範囲に含まれるか否かを判定する（Ｓ６９２）。
【０１９８】
上記机上面照度５Ｇが上記目標照度範囲に含まれない場合（Ｓ６９２でＹＥＳ）、照度制御処理Ｆはステップ６１００に進む。一方、机上面照度５Ｇが目標照度範囲から外れる場合（Ｓ６９２でＮＯ）、目標照明輝度算出部１５は、机上面照度５Ｇが目標照度範囲に含まれるように、グループ５のＬＥＤ照明３ｂ、３ｃ（図１１参照）の輝度を制御する（Ｓ６９３）。そして、照度制御処理Ｆはステップ６１００に進む。
【０１９９】
照度制御処理Ｆのステップ６１００（Ｓ６１０１〜Ｓ６１０３）では、まず、机上面照度算出部１２は、照度センサ２ａ、２ｃの検出値を取得し、取得した検出値を用いて、グループ６に含まれるＬＥＤ照明３ａ、３ｄ（図１１参照）下の机上面照度（以下では、机上面照度６Ｇと呼ぶ）を算出する（Ｓ６１０１）。
【０２００】
次に、目標照明輝度算出部１５は、机上面照度算出部１２によって算出された現在の机上面照度６Ｇが、目標照度範囲決定部１４によって決定された目標照度範囲に含まれるか否かを判定する（Ｓ６１０２）。
【０２０１】
上記机上面照度６Ｇが上記目標照度範囲に含まれない場合（Ｓ６１０２でＹＥＳ）、照度制御処理Ｆはステップ６１１０に進む。一方、机上面照度６Ｇが目標照度範囲から外れる場合（Ｓ６１０２でＮＯ）、目標照明輝度算出部１５は、机上面照度６Ｇが目標照度範囲に含まれるように、グループ６のＬＥＤ照明３ａ、３ｄの輝度を制御する（Ｓ６１０３）。そして、照度制御処理Ｆはステップ６１１０に進む。
【０２０２】
照度制御処理Ｆのステップ６１１０（Ｓ６１１１〜Ｓ６１１３）では、まず、机上面照度算出部１２は、照度センサ２ｂの検出値を取得し、取得した検出値を用いて、グループ５に含まれるＬＥＤ照明３ｂ、３ｃ下の机上面照度５Ｇを算出する（Ｓ６１１１）。
【０２０３】
次に、目標照明輝度算出部１５は、机上面照度算出部１２によって算出された現在の机上面照度５Ｇが、目標照度範囲決定部１４によって決定された目標照度範囲に含まれるか否かを判定する（Ｓ６１１２）。
【０２０４】
上記机上面照度５Ｇが上記目標照度範囲に含まれない場合（Ｓ６１１２でＹＥＳ）、照度制御処理Ｆはステップ６１２０に進む。一方、机上面照度５Ｇが目標照度範囲から外れる場合（Ｓ６１１２でＮＯ）、目標照明輝度算出部１５は、机上面照度５Ｇが目標照度範囲に含まれるように、グループ５のＬＥＤ照明３ｂ、３ｃの輝度を制御する（Ｓ６１１３）。そして、照度制御処理Ｆはステップ６１２０に進む。
【０２０５】
照度制御処理Ｆのステップ６１２０（Ｓ６１２１〜Ｓ６１２３）では、まず、机上面照度算出部１２は、照度センサ２ｂの検出値を取得し、取得した検出値を用いて、グループ３に含まれるＬＥＤ照明２ｂ、２ｃ下の机上面照度３Ｇを算出する（Ｓ６１２１）。
【０２０６】
次に、目標照明輝度算出部１５は、机上面照度算出部１２によって算出された現在の机上面照度３Ｇが、目標照度範囲決定部１４によって決定された目標照度範囲に含まれるか否かを判定する（Ｓ６１２２）。
【０２０７】
上記机上面照度３Ｇが上記目標照度範囲に含まれない場合（Ｓ６１２２でＹＥＳ）、照度制御処理Ｆはステップ６１３０に進む。一方、机上面照度３Ｇが目標照度範囲から外れる場合（Ｓ６１２２でＮＯ）、目標照明輝度算出部１５は、机上面照度３Ｇが目標照度範囲に含まれるように、グループ５のＬＥＤ照明３ｂ、３ｃの輝度を制御する（Ｓ６１２３）。そして、照度制御処理Ｆはステップ６１３０に進む。
【０２０８】
図１４に示すように、照度制御処理Ｆのステップ６１３０（Ｓ６１３１〜Ｓ６１３３）では、まず、机上面照度算出部１２は、照度センサ２ａ、２ｃの検出値を取得し、取得した検出値を用いて、グループ４に含まれるＬＥＤ照明２ａ、２ｄ下の机上面照度４Ｇを算出する（Ｓ６１３１）。
【０２０９】
次に、目標照明輝度算出部１５は、机上面照度算出部１２によって算出された現在の机上面照度４Ｇが、目標照度範囲決定部１４によって決定された目標照度範囲に含まれるか否かを判定する（Ｓ６１３２）。
【０２１０】
上記机上面照度４Ｇが上記目標照度範囲に含まれない場合（Ｓ６１３２でＹＥＳ）、照度制御処理Ｆはステップ６１４０に進む。一方、机上面照度４Ｇが目標照度範囲から外れる場合（Ｓ６１３２でＮＯ）、目標照明輝度算出部１５は、机上面照度４Ｇが目標照度範囲に含まれるように、グループ６のＬＥＤ照明３ａ、３ｄの輝度を制御する（Ｓ６１３３）。そして、照度制御処理Ｆはステップ６１４０に進む。
【０２１１】
照度制御処理Ｆのステップ６１４０（Ｓ６１４１〜Ｓ６１４３）では、まず、机上面照度算出部１２は、照度センサ３ｂ（図１１参照）の検出値を取得し、取得した検出値を用いて、グループ７に含まれるＬＥＤ照明４ｂ、４ｃ（図１１参照）下の机上面照度（以下では、机上面照度７Ｇと呼ぶ）を算出する（Ｓ６１４１）。
【０２１２】
次に、目標照明輝度算出部１５は、机上面照度算出部１２によって算出された現在の机上面照度７Ｇが、目標照度範囲決定部１４によって決定された目標照度範囲に含まれるか否かを判定する（Ｓ６１４２）。
【０２１３】
上記机上面照度７Ｇが上記目標照度範囲に含まれない場合（Ｓ６１４２でＹＥＳ）、照度制御処理Ｆはステップ６１５０に進む。一方、机上面照度７Ｇが目標照度範囲から外れる場合（Ｓ６１４２でＮＯ）、目標照明輝度算出部１５は、机上面照度７Ｇが目標照度範囲に含まれるように、グループ７のＬＥＤ照明４ｂ、４ｃの輝度を制御する（Ｓ６１４３）。そして、照度制御処理Ｆはステップ６１５０に進む。
【０２１４】
照度制御処理Ｆのステップ６１５０（Ｓ６１５１〜Ｓ６１５３）では、まず、机上面照度算出部１２は、照度センサ３ａ、３ｃ（図１１参照）の検出値を取得し、取得した検出値を用いて、グループ８に含まれるＬＥＤ照明４ａ、４ｄ下の机上面照度（以下では、机上面照度８Ｇと呼ぶ）を算出する（Ｓ６１５１）。
【０２１５】
次に、目標照明輝度算出部１５は、机上面照度算出部１２によって算出された現在の机上面照度８Ｇが、目標照度範囲決定部１４によって決定された目標照度範囲に含まれるか否かを判定する（Ｓ６１５２）。
【０２１６】
上記机上面照度８Ｇが上記目標照度範囲に含まれない場合（Ｓ６１５２でＹＥＳ）、照度制御処理Ｆはステップ６１６０に進む。一方、机上面照度８Ｇが目標照度範囲から外れる場合（Ｓ６１５２でＮＯ）、目標照明輝度算出部１５は、机上面照度８Ｇが目標照度範囲に含まれるように、グループ８のＬＥＤ照明４ａ、４ｄの輝度を制御する（Ｓ６１５３）。そして、照度制御処理Ｆはステップ６１６０に進む。
【０２１７】
照度制御処理Ｆのステップ６１６０（Ｓ６１６１〜Ｓ６１６３）では、まず、机上面照度算出部１２は、照度センサ３ｂの検出値を取得し、取得した検出値を用いて、グループ７に含まれるＬＥＤ照明４ｂ、４ｃ下の机上面照度７Ｇを算出する（Ｓ６１６１）。
【０２１８】
次に、目標照明輝度算出部１５は、机上面照度算出部１２によって算出された現在の机上面照度７Ｇが、目標照度範囲決定部１４によって決定された目標照度範囲に含まれるか否かを判定する（Ｓ６１６２）。
【０２１９】
上記机上面照度７Ｇが上記目標照度範囲に含まれない場合（Ｓ６１６２でＹＥＳ）、照度制御処理Ｆは終了する。一方、机上面照度７Ｇが目標照度範囲から外れる場合（Ｓ６１６２でＮＯ）、目標照明輝度算出部１５は、机上面照度７Ｇが目標照度範囲に含まれるように、グループ７のＬＥＤ照明４ｂ、４ｃの輝度を制御する（Ｓ６１６３）。そして、照度制御処理Ｆは終了する。
【０２２０】
〔実施形態７〕
本発明の他の実施形態について、図１５〜図１７に基づいて説明すれば、以下のとおりである。なお、説明の便宜上、前記実施形態にて説明した部材と同じ機能を有する部材については、同じ符号を付記し、その説明を省略する。
【０２２１】
前記実施形態１〜６では、ＬＥＤ照明の輝度が制御されることによって、机上面の照度が調整される構成を説明した。本実施形態では、ＬＥＤの輝度および色度が制御されることによって、机上面の照度および色度が調整される構成を説明する。
【０２２２】
（照明システム７の概要）
図１５を用いて、本実施形態に係る照明システム７の概要を説明する、図１５は、照明システム７の構成を示すブロック図である。
【０２２３】
図１５に示すように、照明システム７は、合計４台のＬＥＤ照明１〜４（図１５のＬＥＤ１〜４）、合計３台の照度・色度センサ１Ａ〜３Ａ（図１５のセンサ１Ａ〜３Ａ）、および制御装置２０を含んでいる。ＬＥＤ照明１〜４、照度・色度センサ１Ａ〜３Ａは、オフィス等の部屋の天井に設置されている。照度・色度センサ１Ａ〜３Ａは、照度センサ１ａ〜３ａおよび色度センサ１ｂ〜３ｂを備えている。制御装置２０と各センサ、制御装置２０と各ＬＥＤ照明は、実際には配線で接続されているが、図１５では省略している。なお、照明システム７に含まれるＬＥＤ照明、照度センサ、および色度センサの各台数は、どちらも任意の数であってよい。
【０２２４】
（制御装置２０の構成）
図１６を用いて、前述した制御装置２０の詳細な構成を説明する。図１６は制御装置２０の構成を示すブロック図である。図１６に示すように、制御装置２０は、センサ値取得部２１１、机上面照度・色度算出部２１２、目標照度・色度情報取得部２１３、目標照度・色度範囲決定部２１４、目標輝度・色度算出部２１５、制御信号生成部１６、および制御信号送信部１７を含んでいる。
【０２２５】
センサ値取得部２１１は、照度・色度センサ１Ａ〜３Ａから、照度の検出値および色度の検出値を取得する。センサ値取得部２１１は、取得した検出値のデータを机上面照度・色度算出部２１２に出力する。
【０２２６】
机上面照度・色度算出部２１２は、センサ値取得部２１１から入力された照度の検出値および色度の検出値に基づいて、机上面における照度（机上面照度）および色度（机上面色度）を算出する。例えば、机上面照度・色度算出部２１２は、机上面照度を算出するために、照度・色度センサ１Ａ〜３Ａの照度センサ１ａ〜３ａの検出値と、机上面照度との相関を予め把握しておく。その上で、照度センサ１ａ〜３ａの検出値を用いて、机上面照度を算出してもよい。同様に、机上面照度・色度算出部２１２は、机上面色度（パラメータ）を算出するために、照度・色度センサ１Ａ〜３Ａの色度センサ１ｂ〜３ｂの検出値と、机上面色度との相関を予め把握しておく。その上で、色度センサ１ｂ〜３ｂの検出値を用いて、机上面色度を算出してもよい。机上面照度・色度算出部２１２は、このように算出した机上面照度および机上面色度の各データを、目標輝度・色度算出部２１５に出力する。
【０２２７】
目標照度・色度情報取得部２１３は、ユーザが入力手段（例えば、タブレット端末）を用いて入力した目標照度情報（ユーザが設定した机上面上の目標照度に関する情報）および目標色度情報（ユーザが設定した机上面上の目標色度に関する情報）を取得する。そして、取得した目標照度情報および目標色度情報を、目標照度・色度範囲決定部２１４に出力する。
【０２２８】
目標照度・色度範囲決定部２１４は、目標照度・色度情報取得部２１３から入力された目標照度情報および目標色度情報を用いて、目標照度範囲および目標色度範囲を決定する。例えば、目標照度範囲は、目標照度±ｅ（ｅは任意の値）の範囲であってよい。また、目標色度範囲は、目標色度±ｅ´（ｅ´は任意の値）の範囲であってよい。そして、決定した目標照度範囲および目標色度範囲の各データを、目標輝度・色度算出部２１５に出力する。また、目標照度・色度範囲決定部２１４は、決定した目標照度範囲および目標色度範囲の各データを、記憶部（図示せず）に記憶する。
【０２２９】
目標輝度・色度算出部２１５は、机上面照度・色度算出部２１２から、机上面照度のデータを取得するとともに、目標照度・色度範囲決定部２１４から、目標照度範囲のデータを取得する。そして、目標輝度・色度算出部２１５は、現在の机上面照度が目標照度範囲から外れているか否かを判定する。現在の机上面照度が目標照度範囲から外れている場合、目標輝度・色度算出部２１５は、机上面照度が目標照度範囲に含まれるようなＬＥＤ照明１〜４の輝度（目標照明輝度）を算出する。例えば、目標輝度・色度算出部２１５は、ＬＥＤ照明１〜４の輝度と机上面照度との相関を予め把握しておく。その上で、目標照度範囲のデータを用いて、ＬＥＤ照明１〜４の各々の目標照明輝度を算出してもよい。なお、ＬＥＤ照明１〜４の各々の目標照明輝度は、同一であってもよいし、互いに異なっていてもよい。
【０２３０】
同様に、目標輝度・色度算出部２１５は、机上面照度・色度算出部２１２から、机上面色度のデータを取得するとともに、目標照度・色度範囲決定部２１４から、目標色度範囲のデータを取得する。そして、目標輝度・色度算出部２１５は、現在の机上面色度が目標色度範囲から外れているか否かを判定する。現在の机上面色度が目標色度範囲から外れている場合、目標輝度・色度算出部２１５は、机上面色度が目標色度範囲に含まれるようなＬＥＤ照明１〜４の色度（目標照明色度）を算出する。例えば、目標輝度・色度算出部２１５は、ＬＥＤ照明１〜４の色度と机上面色度との相関を予め把握しておく。その上で、目標色度範囲のデータを用いて、ＬＥＤ照明１〜４の各々の目標照明色度を算出してもよい。なお、ＬＥＤ照明１〜４の各々の目標照明色度は、同一であってもよいし、互いに異なっていてもよい。
【０２３１】
目標輝度・色度算出部２１５は、算出した目標照明輝度および目標照明色度の各データを、制御信号生成部１６に出力する。
【０２３２】
制御信号生成部１６は、目標輝度・色度算出部２１５によって算出された目標照明輝度および目標照明色度に基づいて、ＬＥＤ照明１〜４へ送信される制御信号を生成する。すなわち、制御信号生成部１６は、ＬＥＤ照明１〜４を目標照明輝度および目標照明色度で発光させるための制御信号を生成する。ここで、制御信号生成部１６が生成する制御信号には、ＬＥＤ照明１〜４の各々の輝度を制御するための４つの制御信号、および、ＬＥＤ照明１〜４の各々の色度を制御するための４つの制御信号が含まれる。制御信号生成部１６は、生成した（合計８つの）制御信号を、制御信号送信部１７に出力する。なお、制御信号には、各ＬＥＤ照明の目標輝度および目標色度を示す情報が含まれていてもよい。
【０２３３】
制御信号送信部１７は、制御信号生成部１６が生成した制御信号を、ＬＥＤ照明１〜４へ送信する。これにより、ＬＥＤ照明１〜４は、目標照明輝度および目標照明色度で発光する。
【０２３４】
（照度制御処理Ｇ）
図１７〜図１８を用いて、前述した制御装置２０によって実行される照度制御処理Ｇの流れを説明する。図１７〜図１８は、照度制御処理Ｇの流れを示すフローチャートである。なお、以下で説明するＬＥＤ照明の輝度、色度の制御の順序は一例であり、複数のＬＥＤ照明の輝度、色度は、他の順序で制御されてもよい。さらに、以下の説明において、目標照度・色度範囲決定部２１４は、予め、ＬＥＤ照明１〜４の目標照度範囲を決定しているとする。
【０２３５】
図１７に示すように、照度制御処理Ｇのステップ７１０（Ｓ７１１〜Ｓ７１３）では、机上面照度・色度算出部２１２は、照度・色度センサ１Ａの照度センサ１ａ（図１５参照）の検出値を取得し、取得した検出値を用いて、ＬＥＤ照明１下の机上面照度を算出する（Ｓ７１１）。以下では、ＬＥＤ照明１下の机上面照度を、机上面照度１Ｇと呼ぶ。
【０２３６】
次に、目標輝度・色度算出部２１５は、机上面照度・色度算出部２１２によって算出された現在の机上面照度１Ｇが、目標照度・色度範囲決定部２１４によって決定された目標照度範囲に含まれるか否かを判定する（Ｓ７１２）。
【０２３７】
上記机上面照度１Ｇが上記目標照度範囲に含まれる場合（Ｓ７１２でＹＥＳ）、照度制御処理Ｇはステップ７２０に進む。一方、上記机上面照度１Ｇが上記目標照度範囲から外れる場合（Ｓ７１２でＮＯ）、目標輝度・色度算出部２１５は、机上面照度１Ｇが目標照度範囲に含まれるようになるように、ＬＥＤ照明１の目標照明輝度を算出する。そして、制御信号生成部１６は、ＬＥＤ照明１の輝度を目標照明輝度にするための制御信号を生成し、制御信号送信部１７は、制御信号生成部１６によって生成された制御信号をＬＥＤ照明１に送信することによって、ＬＥＤ照明１の輝度を制御する（Ｓ７１３）。その後、照度制御処理Ｇはステップ７２０へ進む。
【０２３８】
照度制御処理Ｇのステップ７２０（Ｓ７２１〜Ｓ７２３）では、机上面照度・色度算出部２１２は、照度・色度センサ１Ａの色度センサ１ｂ（図１５参照）の検出値を取得し、取得した検出値を用いて、ＬＥＤ照明１下の机上面色度を算出する（Ｓ７２１）。以下では、ＬＥＤ照明１下の机上面色度を、机上面色度１Ｆと呼ぶ。
【０２３９】
次に、目標輝度・色度算出部２１５は、机上面照度・色度算出部２１２によって算出された現在の机上面色度１Ｆが、目標照度・色度範囲決定部２１４によって決定された目標色度範囲に含まれるか否かを判定する（Ｓ７２２）。
【０２４０】
上記机上面色度１Ｆが上記目標色度範囲に含まれる場合（Ｓ７２２でＹＥＳ）、照度制御処理Ｇはステップ７３０に進む。一方、机上面色度１Ｆが目標色度範囲から外れる場合（Ｓ７２２でＮＯ）、目標輝度・色度算出部２１５は、机上面色度１Ｆが目標色度範囲に含まれるようになるように、ＬＥＤ照明１の目標照明色度を算出する。そして、制御信号生成部１６は、ＬＥＤ照明１の色度を目標照明色度にするための制御信号を生成し、制御信号送信部１７は、制御信号生成部１６によって生成された制御信号をＬＥＤ照明１に送信することによって、ＬＥＤ照明２の色度を制御する（Ｓ７２３）。その後、照度制御処理Ｇはステップ７３０へ進む。
【０２４１】
照度制御処理Ｇのステップ７３０（Ｓ７３１〜Ｓ７３３）では、机上面照度・色度算出部２１２は、照度・色度センサ２Ａの照度センサ２ａ（図１５参照）の検出値を取得し、取得した検出値を用いて、ＬＥＤ照明２下の机上面照度を算出する（Ｓ７３１）。以下では、ＬＥＤ照明２下の机上面照度を、机上面照度２Ｇと呼ぶ。
【０２４２】
次に、目標輝度・色度算出部２１５は、机上面照度・色度算出部２１２によって算出された現在の机上面照度２Ｇが、目標照度・色度範囲決定部２１４によって決定された目標照度範囲に含まれるか否かを判定する（Ｓ７３２）。
【０２４３】
上記机上面照度２Ｇが上記目標照度範囲に含まれる場合（Ｓ７３２でＹＥＳ）、照度制御処理Ｇはステップ７４０に進む。一方、上記机上面照度２Ｇが上記目標照度範囲から外れる場合（Ｓ７３２でＮＯ）、目標輝度・色度算出部２１５は、机上面照度２Ｇが目標照度範囲に含まれるようになるように、ＬＥＤ照明２の目標照明輝度を算出する。そして、制御信号生成部１６は、ＬＥＤ照明２の輝度を目標照明輝度にするための制御信号を生成し、制御信号送信部１７は、制御信号生成部１６によって生成された制御信号をＬＥＤ照明２に送信することによって、ＬＥＤ照明２の輝度を制御する（Ｓ７３３）。その後、照度制御処理Ｇはステップ７４０へ進む。
【０２４４】
照度制御処理Ｇのステップ７４０（Ｓ７４１〜Ｓ７４３）では、机上面照度・色度算出部２１２は、照度・色度センサ２Ａの色度センサ２ｂ（図１５参照）の検出値を取得し、取得した検出値を用いて、ＬＥＤ照明２下の机上面色度を算出する（Ｓ７４１）。以下では、ＬＥＤ照明２下の机上面色度を、机上面色度２Ｆと呼ぶ。
【０２４５】
次に、目標輝度・色度算出部２１５は、机上面照度・色度算出部２１２によって算出された現在の机上面色度２Ｆが、目標照度・色度範囲決定部２１４によって決定された目標色度範囲に含まれるか否かを判定する（Ｓ７４２）。
【０２４６】
上記机上面色度２Ｆが上記目標色度範囲に含まれる場合（Ｓ７２２でＹＥＳ）、照度制御処理Ｇはステップ７５０に進む。一方、机上面色度２Ｆが目標色度範囲から外れる場合（Ｓ７４２でＮＯ）、目標輝度・色度算出部２１５は、机上面色度２Ｆが目標色度範囲に含まれるようになるように、ＬＥＤ照明２の目標照明色度を算出する。そして、制御信号生成部１６は、ＬＥＤ照明２の色度を目標照明色度にするための制御信号を生成し、制御信号送信部１７は、制御信号生成部１６によって生成された制御信号をＬＥＤ照明２に送信することによって、ＬＥＤ照明２の色度を制御する（Ｓ７４３）。その後、照度制御処理Ｇはステップ７５０へ進む。
【０２４７】
照度制御処理Ｇのステップ７５０（Ｓ７５１〜Ｓ７５３）では、机上面照度・色度算出部２１２は、照度・色度センサ１Ａの照度センサ１ａの検出値を取得し、取得した検出値を用いて、ＬＥＤ照明１下の机上面照度を算出する（Ｓ７５１）。
【０２４８】
次に、目標輝度・色度算出部２１５は、机上面照度・色度算出部２１２によって算出された現在の机上面照度１Ｇが、目標照度・色度範囲決定部２１４によって決定された目標照度範囲に含まれるか否かを判定する（Ｓ７５２）。
【０２４９】
上記机上面照度１Ｇが上記目標照度範囲に含まれる場合（Ｓ７５２でＹＥＳ）、照度制御処理Ｇはステップ７６０に進む。一方、上記机上面照度１Ｇが上記目標照度範囲から外れる場合（Ｓ７５２でＮＯ）、目標輝度・色度算出部２１５は、机上面照度１Ｇが目標照度範囲に含まれるようになるように、ＬＥＤ照明１の目標照明輝度を算出する。そして、制御信号生成部１６は、ＬＥＤ照明１の輝度を目標照明輝度にするための制御信号を生成し、制御信号送信部１７は、制御信号生成部１６によって生成された制御信号をＬＥＤ照明１に送信することによって、ＬＥＤ照明１の輝度を制御する（Ｓ７５３）。その後、照度制御処理Ｇはステップ７６０へ進む。
【０２５０】
照度制御処理Ｇのステップ７６０（Ｓ７６１〜Ｓ７６３）では、机上面照度・色度算出部２１２は、照度・色度センサ１Ａの色度センサ１ｂの検出値を取得し、取得した検出値を用いて、ＬＥＤ照明１下の机上面色度を算出する（Ｓ７６１）。
【０２５１】
次に、目標輝度・色度算出部２１５は、机上面照度・色度算出部２１２によって算出された現在の机上面色度１Ｆが、目標照度・色度範囲決定部２１４によって決定された目標色度範囲に含まれるか否かを判定する（Ｓ７６２）。
【０２５２】
上記机上面色度１Ｆが上記目標色度範囲に含まれる場合（Ｓ７６２でＹＥＳ）、照度制御処理Ｇはステップ７７０に進む。一方、机上面色度１Ｆが目標色度範囲から外れる場合（Ｓ７６２でＮＯ）、目標輝度・色度算出部２１５は、机上面色度１Ｆが目標色度範囲に含まれるようになるように、ＬＥＤ照明１の目標照明色度を算出する。そして、制御信号生成部１６は、ＬＥＤ照明１の色度を目標照明色度にするための制御信号を生成し、制御信号送信部１７は、制御信号生成部１６によって生成された制御信号をＬＥＤ照明１に送信することによって、ＬＥＤ照明１の色度を制御する（Ｓ７６３）。その後、照度制御処理Ｇはステップ７７０へ進む。
【０２５３】
図１８に示すように、照度制御処理Ｇのステップ７７０（Ｓ７７１〜Ｓ７７３）では、机上面照度・色度算出部２１２は、照度・色度センサ２Ａの照度センサ２ａの検出値を取得し、取得した検出値を用いて、ＬＥＤ照明３下の机上面照度を算出する（Ｓ７７１）。以下では、ＬＥＤ照明３下の机上面照度を、机上面照度３Ｇと呼ぶ。
【０２５４】
次に、目標輝度・色度算出部２１５は、机上面照度・色度算出部２１２によって算出された現在の机上面照度３Ｇが、目標照度・色度範囲決定部２１４によって決定された目標照度範囲に含まれるか否かを判定する（Ｓ７７２）。
【０２５５】
上記机上面照度３Ｇが上記目標照度範囲に含まれる場合（Ｓ７７２でＹＥＳ）、照度制御処理Ｇはステップ７８０に進む。一方、上記机上面照度３Ｇが上記目標照度範囲から外れる場合（Ｓ７７２でＮＯ）、目標輝度・色度算出部２１５は、机上面照度３Ｇが目標照度範囲に含まれるようになるように、ＬＥＤ照明３の目標照明輝度を算出する。そして、制御信号生成部１６は、ＬＥＤ照明３の輝度を目標照明輝度にするための制御信号を生成し、制御信号送信部１７は、制御信号生成部１６によって生成された制御信号をＬＥＤ照明１に送信することによって、ＬＥＤ照明３の輝度を制御する（Ｓ７７３）。その後、照度制御処理Ｇはステップ７８０へ進む。
【０２５６】
照度制御処理Ｇのステップ７８０（Ｓ７８１〜Ｓ７８３）では、机上面照度・色度算出部２１２は、照度・色度センサ２Ａの色度センサ２ｂの検出値を取得し、取得した検出値を用いて、ＬＥＤ照明３下の机上面色度を算出する（Ｓ７８１）。以下では、ＬＥＤ照明３下の机上面色度を、机上面色度３Ｆと呼ぶ。
【０２５７】
次に、目標輝度・色度算出部２１５は、机上面照度・色度算出部２１２によって算出された現在の机上面色度３Ｆが、目標照度・色度範囲決定部２１４によって決定された目標色度範囲に含まれるか否かを判定する（Ｓ７８２）。
【０２５８】
上記机上面色度３Ｆが上記目標色度範囲に含まれる場合（Ｓ７８２でＹＥＳ）、照度制御処理Ｇはステップ７９０に進む。一方、机上面色度３Ｆが目標色度範囲から外れる場合（Ｓ７８２でＮＯ）、目標輝度・色度算出部２１５は、机上面色度３Ｆが目標色度範囲に含まれるようになるように、ＬＥＤ照明３の目標照明色度を算出する。そして、制御信号生成部１６は、ＬＥＤ照明３の色度を目標照明色度にするための制御信号を生成し、制御信号送信部１７は、制御信号生成部１６によって生成された制御信号をＬＥＤ照明３に送信することによって、ＬＥＤ照明３の色度を制御する（Ｓ７８３）。その後、照度制御処理Ｇはステップ７９０へ進む。
【０２５９】
照度制御処理Ｇのステップ７９０（Ｓ７９１〜Ｓ７９３）では、机上面照度・色度算出部２１２は、照度・色度センサ２Ａの照度センサ２ａの検出値を取得し、取得した検出値を用いて、ＬＥＤ照明２下の机上面照度を算出する（Ｓ７９１）。
【０２６０】
次に、目標輝度・色度算出部２１５は、机上面照度・色度算出部２１２によって算出された現在の机上面照度２Ｇが、目標照度・色度範囲決定部２１４によって決定された目標照度範囲に含まれるか否かを判定する（Ｓ７９２）。
【０２６１】
上記机上面照度２Ｇが上記目標照度範囲に含まれる場合（Ｓ７９２でＹＥＳ）、照度制御処理Ｇはステップ７１００に進む。一方、上記机上面照度２Ｇが上記目標照度範囲から外れる場合（Ｓ７９２でＮＯ）、目標輝度・色度算出部２１５は、机上面照度２Ｇが目標照度範囲に含まれるようになるように、ＬＥＤ照明３の目標照明輝度を算出する。そして、制御信号生成部１６は、ＬＥＤ照明３の輝度を目標照明輝度にするための制御信号を生成し、制御信号送信部１７は、制御信号生成部１６によって生成された制御信号をＬＥＤ照明３に送信することによって、ＬＥＤ照明３の輝度を制御する（Ｓ７９３）。その後、照度制御処理Ｇはステップ７１００へ進む。
【０２６２】
照度制御処理Ｇのステップ７１００（Ｓ７１０１〜Ｓ７１０３）では、机上面照度・色度算出部２１２は、照度・色度センサ２Ａの色度センサ２ｂの検出値を取得し、取得した検出値を用いて、ＬＥＤ照明２下の机上面色度を算出する（Ｓ７１０１）。
【０２６３】
次に、目標輝度・色度算出部２１５は、机上面照度・色度算出部２１２によって算出された現在の机上面色度２Ｆが、目標照度・色度範囲決定部２１４によって決定された目標色度範囲に含まれるか否かを判定する（Ｓ７１０２）。
【０２６４】
上記机上面色度２Ｆが上記目標色度範囲に含まれる場合（Ｓ７１０２でＹＥＳ）、照度制御処理Ｇはステップ７１１０に進む。一方、机上面色度２Ｆが目標色度範囲から外れる場合（Ｓ７１０２でＮＯ）、目標輝度・色度算出部２１５は、机上面色度２Ｆが目標色度範囲に含まれるようになるように、ＬＥＤ照明３の目標照明色度を算出する。そして、制御信号生成部１６は、ＬＥＤ照明３の色度を目標照明色度にするための制御信号を生成し、制御信号送信部１７は、制御信号生成部１６によって生成された制御信号をＬＥＤ照明３に送信することによって、ＬＥＤ照明３の色度を制御する（Ｓ７１０３）。その後、照度制御処理Ｇはステップ７１１０へ進む。
【０２６５】
照度制御処理Ｇのステップ７１１０（Ｓ７１１１〜Ｓ７１１３）では、机上面照度・色度算出部２１２は、照度・色度センサ３Ａの照度センサ３ａ（図１５参照）の検出値を取得し、取得した検出値を用いて、ＬＥＤ照明４下の机上面照度を算出する（Ｓ７１１１）。以下では、ＬＥＤ照明４下の机上面照度を、机上面照度４Ｇと呼ぶ。
【０２６６】
次に、目標輝度・色度算出部２１５は、机上面照度・色度算出部２１２によって算出された現在の机上面照度４Ｇが、目標照度・色度範囲決定部２１４によって決定された目標照度範囲に含まれるか否かを判定する（Ｓ７１１２）。
【０２６７】
上記机上面照度４Ｇが上記目標照度範囲に含まれる場合（Ｓ７１１２でＹＥＳ）、照度制御処理Ｇはステップ７１２０に進む。一方、上記机上面照度４Ｇが上記目標照度範囲から外れる場合（Ｓ７１１２でＮＯ）、目標輝度・色度算出部２１５は、机上面照度４Ｇが目標照度範囲に含まれるようになるように、ＬＥＤ照明４の目標照明輝度を算出する。そして、制御信号生成部１６は、ＬＥＤ照明４の輝度を目標照明輝度にするための制御信号を生成し、制御信号送信部１７は、制御信号生成部１６によって生成された制御信号をＬＥＤ照明４に送信することによって、ＬＥＤ照明４の輝度を制御する（Ｓ７１１３）。その後、照度制御処理Ｇはステップ７１２０へ進む。
【０２６８】
照度制御処理Ｇのステップ７１２０（Ｓ７１２１〜Ｓ７１２３）では、机上面照度・色度算出部２１２は、照度・色度センサ３Ａの色度センサ３ｂ（図１５参照）の検出値を取得し、取得した検出値を用いて、ＬＥＤ照明４下の机上面色度を算出する（Ｓ７１２１）。以下では、ＬＥＤ照明４下の机上面色度を、机上面色度４Ｆと呼ぶ。
【０２６９】
次に、目標輝度・色度算出部２１５は、机上面照度・色度算出部２１２によって算出された現在の机上面色度４Ｆが、目標照度・色度範囲決定部２１４によって決定された目標色度範囲に含まれるか否かを判定する（Ｓ７１２２）。
【０２７０】
上記机上面色度４Ｆが上記目標色度範囲に含まれる場合（Ｓ７１２２でＹＥＳ）、照度制御処理Ｇは終了する。一方、机上面色度４Ｆが目標色度範囲から外れる場合（Ｓ７１２２でＮＯ）、目標輝度・色度算出部２１５は、机上面色度４Ｆが目標色度範囲に含まれるようになるように、ＬＥＤ照明４の目標照明色度を算出する。そして、制御信号生成部１６は、ＬＥＤ照明４の色度を目標照明色度にするための制御信号を生成し、制御信号送信部１７は、制御信号生成部１６によって生成された制御信号をＬＥＤ照明４に送信することによって、ＬＥＤ照明４の色度を制御する（Ｓ７１２３）。以上で、照度制御処理Ｇは終了する。
【０２７１】
〔ソフトウェアによる実現例〕
制御装置１０、２０の制御ブロックは、集積回路（ＩＣチップ）等に形成された論理回路（ハードウェア）によって実現してもよいし、ＣＰＵ（Central Processing Unit）を用いてソフトウェアによって実現してもよい。
【０２７２】
後者の場合、制御装置１０、２０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０２７３】
〔まとめ〕
本発明の態様１に係る制御装置（１０、２０）は、複数の照明装置からの照明光の照射対象となる被射面の照度および色度の少なくとも一方を含むパラメータを調整するために、上記複数の照明装置の輝度および色度の少なくとも一方を制御する制御装置であって、上記被射面の第１の領域における上記パラメータが所定の数値範囲に含まれるように、上記第１の領域に照明光を照射する第１照明装置を制御し、上記被射面の第２の領域における上記パラメータが上記所定の数値範囲に含まれるように、上記第２の領域に照明光を照射する第２照明装置を制御した後、上記第１の領域における上記パラメータが上記所定の数値範囲から外れていた場合、該パラメータが上記所定の数値範囲に含まれるように、上記第１照明装置または上記第２照明装置を再び制御する。
【０２７４】
上記の構成によれば、被射面の第１の領域および第２の領域のパラメータ（照度・色度）が、所定の数値範囲に含まれるように調整された後、被射面の第１の領域におけるパラメータが再調整される。そのため、第２の領域のパラメータが調整される間に、第２照明装置の輝度・色度が変化し、その結果、第１の領域のパラメータが所定の数値範囲に含まれなくなっていた場合であっても、第１の領域のパラメータは再び所定の数値範囲に含まれるようになる。従って、第１の領域のパラメータおよび第２の領域のパラメータがどちらも所定の数値範囲に含まれるので、被射面のパラメータを均一にすることができる。
【０２７５】
本発明の態様２に係る制御装置は、上記態様１において、上記複数の照明装置は、一列に並んで配置されており、上記複数の照明装置の列の一方の端から、他の端に向かう順序で、各照明装置を制御してもよい。
【０２７６】
上記の構成によれば、複数の照明装置の列の一方の端に位置する照明装置からの照明光を受ける被射面の領域から、複数の照明装置の列の他の端に位置する照明装置からの照明光を受ける被射面の領域まで、複数の領域のパラメータを調整することができる。
【０２７７】
本発明の態様３に係る制御装置は、上記態様１において、上記複数の照明装置は、一列に並んで配置されており、上記複数の照明装置の列の両端から、列の中央に向かう順序で、各照明装置を制御してもよい。
【０２７８】
上記の構成によれば、複数の照明装置の列の両端に位置する照明装置からの照明光を受ける被射面の領域から、複数の照明装置の列の中央に位置する照明装置からの照明光を受ける被射面の領域まで、複数の領域のパラメータを調整することができる。
【０２７９】
本発明の態様４に係る制御装置は、上記態様１において、１つ以上の上記照明装置を含むグループごとに、該グループに含まれる照明装置を制御してもよい。
【０２８０】
上記の構成によれば、１つの照明装置ごとに、輝度・色度の制御が行われる構成と比較して、被射面のパラメータを調整するために要する時間を短縮することができる。
【０２８１】
本発明の態様５に係る制御装置は、上記態様１において、上記パラメータは、照度および色度を含んでいてもよい。
【０２８２】
上記の構成によれば、被射面の照度および色度の両方を制御することができる。
【０２８３】
本発明の態様６に係る制御装置は、複数の照明装置からの照明光の照射対象となる被射面の照度および色度の少なくとも一方を含むパラメータを調整するために、上記複数の照明装置の輝度および色度の少なくとも一方を制御する制御装置であって、第１照明装置から照明光を照射される上記被射面の領域を第１の領域と呼び、第２照明装置から照明光を照射される上記被射面の領域を第２の領域と呼ぶとき、上記第１の領域における上記パラメータが所定の数値範囲に含まれるようになる、上記第１照明装置の制御方法を計算し、上記制御方法で上記第１照明装置を制御することを前提として、上記第２の領域における上記パラメータが上記所定の数値範囲に含まれるようになる、上記第２照明装置の制御方法を計算し、上記制御方法で上記第２照明装置を制御すると、上記第１の領域における上記パラメータが上記所定の数値範囲から外れる場合、該パラメータが上記所定の数値範囲に含まれるように、上記第１照明装置の制御方法を再計算し、再計算した上記第１照明装置の制御方法および計算した第２照明装置の制御方法を用いて、上記第１および第２照明装置を制御する。
【０２８４】
上記の構成によれば、第１の領域および第２の領域におけるパラメータが所定の数値範囲に含まれるように、第１照明装置および第２照明装置の制御方法が予め計算され、計算された制御方法で、第１照明装置および第２照明装置が制御される。そのため、第１の領域のパラメータおよび第２の領域のパラメータがどちらも所定の数値範囲に含まれるので、被射面のパラメータを均一にすることができる。また、複数の照明装置が何度も制御される構成と比較して、照明装置からの照明光がちらつく（輝度・色度が何度も変化する）現象の発生を抑制することができる。
【０２８５】
本発明の各態様に係る制御装置は、コンピュータによって実現してもよく、この場合には、コンピュータを上記制御装置が備える各部（ソフトウェア要素）として動作させることにより上記制御装置をコンピュータにて実現させる制御装置の制御プログラム、およびそれを記録したコンピュータ読み取り可能な記録媒体も、本発明の範疇に入る。
【０２８６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【０２８７】
本発明の態様７に係る制御装置の制御方法は、複数の照明装置からの照明光の照射対象となる被射面の照度および色度の少なくとも一方を含むパラメータを調整するために、上記複数の照明装置の輝度および色度の少なくとも一方を制御する制御装置による制御方法であって、上記被射面の第１の領域における上記パラメータが所定の数値範囲に含まれるように、上記第１の領域に照明光を照射する第１照明装置を制御する第１ステップと、上記被射面の第２の領域における上記パラメータが上記所定の数値範囲に含まれるように、上記第２の領域に照明光を照射する第２照明装置を制御する第２ステップと、上記第１の領域における上記パラメータが上記所定の数値範囲から外れていた場合、該パラメータが上記所定の数値範囲に含まれるように、上記第１照明装置を再び制御する第３ステップと、を含む。
【０２８８】
上記の構成によれば、様態１に係る制御装置と同じ効果を奏することができる。
【産業上の利用可能性】
【０２８９】
本発明は、複数の照明装置からの照明光の照射対象となる被射面の照度および色度の少なくとも一方を含むパラメータを調整する制御装置に利用することができる。
【符号の説明】
【０２９０】
１０、２０  制御装置
ＲＡ１  照射領域（第１の領域）
ＲＡ２  照射領域（第２の領域）
１〜４、１ａ〜４ａ、１ｂ〜４ｂ、１ｃ〜４ｃ、１ｄ〜４ｄ  ＬＥＤ照明（照明装置）
１〜４、１Ｇ〜８Ｇ  机上面照度（パラメータ）
１Ｆ〜４Ｆ  机上面色度（パラメータ）
【図１】
0006588705.tif 000002
【図２】
0006588705.tif 000003
【図３】
0006588705.tif 000004
【図４】
0006588705.tif 000005
【図５】
0006588705.tif 000006
【図６】
0006588705.tif 000007
【図７】
0006588705.tif 000008
【図８】
0006588705.tif 000009
【図９】
0006588705.tif 000010
【図１０】
0006588705.tif 000011
【図１１】
0006588705.tif 000012
【図１２】
0006588705.tif 000013
【図１３】
0006588705.tif 000014
【図１４】
0006588705.tif 000015
【図１５】
0006588705.tif 000016
【図１６】
0006588705.tif 000017
【図１７】
0006588705.tif 000018
【図１８】
0006588705.tif 000019
【図１９】
0006588705.tif 000020